(57)【特許請求の範囲】
【請求項１】
端末のチャネル状態情報（ＣＳＩ：ｃｈａｎｎｅｌ  ｓｔａｔｅ  ｉｎｆｏｒｍａｔｉｏｎ）をレポートする方法において、
少なくとも１つのＣＳＩプロセスに関する情報を獲得する段階と、
上向きリンクＤＣＩフォーマットのＣＳＩ要請フィールドの値を受信する段階と、
前記ＣＳＩ要請フィールドの値を受信すると、前記情報に基づいてＣＳＩプロセスのセットに対する非周期的なＣＳＩレポートをトリガリングする段階と、を含み、
前記非周期的なＣＳＩレポートは、ＣＳＩレファレンスリソースに基づき、
前記ＣＳＩレファレンスリソースは、時間ドメインで下向きリンクサブフレームｎ−ｎＣＱＩ＿ｒｅｆによって定義され、前記ｎＣＱＩ＿ｒｅｆは、前記上向きリンクＤＣＩフォーマットに関連した下向きリンクサブフレームに基づいて定義され、
前記ＣＳＩレファレンスリソースが有効下向きリンクサブフレームにあるように、前記ＣＳＩプロセスの個数が第１値である場合、前記ｎＣＱＩ＿ｒｅｆは、第１最小値より大きいかまたは同じ値のうち最も小さい値であり、前記ＣＳＩプロセスの個数が第２値である場合、前記ｎＣＱＩ＿ｒｅｆは、第２最小値より大きいかまたは同じ値のうち最も小さい値であり、
ＣＳＩプロセスは、２つのサブフレームセットを含むことを特徴とする方法。
【請求項２】
前記ＣＳＩ要請フィールドの値に基づくＣＳＩプロセスの個数が、ＣＳＩプロセスの最大数を超えると、最も低いインデックスを有するＣＳＩプロセスをレポートすることを特徴とする請求項１に記載の方法。
【請求項３】
少なくとも１つのＣＳＩプロセスのセットが前記端末に設定されたことを特徴とする請求項１に記載の方法。
【請求項４】
前記時間ドメインで前記ｎＣＱＩ＿ｒｅｆは、前記ＣＳＩレファレンスリソースが、前記上向きリンクＤＣＩフォーマットで対応するＣＳＩ要請と同一の有効下向きリンクサブフレームにあるように定義されることを特徴とする請求項１に記載の方法。
【請求項５】
基地局のチャネル状態情報（ＣＳＩ：ｃｈａｎｎｅｌ  ｓｔａｔｅ  ｉｎｆｏｒｍａｔｉｏｎ）レポートを受信する方法において、
上向きリンクＤＣＩフォーマットのＣＳＩ要請フィールドの値を端末に伝送する段階と、
前記ＣＳＩ要請フィールドの値に対応する非周期的なＣＳＩレポートを受信する段階と、を含み、
前記非周期的なＣＳＩレポートは、ＣＳＩレファレンスリソースに基づき、
前記ＣＳＩレファレンスリソースは、時間ドメインで下向きリンクサブフレームｎ−ｎＣＱＩ＿ｒｅｆによって定義され、前記ｎＣＱＩ＿ｒｅｆは、前記上向きリンクＤＣＩフォーマットに関連した下向きリンクサブフレームに基づいて定義され、
前記ＣＳＩレファレンスリソースが有効下向きリンクサブフレームにあるように、ＣＳＩプロセスの個数が第１値である場合、前記ｎＣＱＩ＿ｒｅｆは、第１最小値より大きいかまたは同じ値のうち最も小さい値であり、前記ＣＳＩプロセスの個数が第２値である場合、前記ｎＣＱＩ＿ｒｅｆは、第２最小値より大きいかまたは同じ値のうち最も小さい値であり、
ＣＳＩプロセスは、２つのサブフレームセットを含むことを特徴とする方法。
【請求項６】
前記ＣＳＩ要請フィールドの値に基づくＣＳＩプロセスの個数が、ＣＳＩプロセスの最大数を超えると、最も低いインデックスを有するＣＳＩプロセスがレポートされることを特徴とする請求項５に記載の方法。
【請求項７】
少なくとも１つのＣＳＩプロセスのセットが前記端末に設定されたことを特徴とする請求項５に記載の方法。
【請求項８】
前記時間ドメインで前記ｎＣＱＩ＿ｒｅｆは、前記ＣＳＩレファレンスリソースが、前記上向きリンクＤＣＩフォーマットで対応するＣＳＩ要請と同一の有効下向きリンクサブフレームにあるように定義されることを特徴とする請求項５に記載の方法。
【請求項９】
チャネル状態情報（ＣＳＩ：ｃｈａｎｎｅｌ  ｓｔａｔｅ  ｉｎｆｏｒｍａｔｉｏｎ）をレポートする端末において、
信号を送受信する送受信部と、
少なくとも１つのＣＳＩプロセスに関する情報を獲得し、上向きリンクＤＣＩフォーマットのＣＳＩ要請フィールドの値を受信し、前記ＣＳＩ要請フィールドの値を受信すると、前記情報に基づいてＣＳＩプロセスのセットに対する非周期的なＣＳＩレポートをトリガリングするように制御する制御部と、を含み、
前記非周期的なＣＳＩレポートは、ＣＳＩレファレンスリソースに基づき、
前記ＣＳＩレファレンスリソースは、時間ドメインで下向きリンクサブフレームｎ−ｎＣＱＩ＿ｒｅｆによって定義され、前記ｎＣＱＩ＿ｒｅｆは、前記上向きリンクＤＣＩフォーマットに関連した下向きリンクサブフレームに基づいて定義され、
前記ＣＳＩレファレンスリソースが有効下向きリンクサブフレームにあるように、前記ＣＳＩプロセスの個数が第１値である場合、前記ｎＣＱＩ＿ｒｅｆは、第１最小値より大きいかまたは同じ値のうち最も小さい値であり、前記ＣＳＩプロセスの個数が第２値である場合、前記ｎＣＱＩ＿ｒｅｆは、第２最小値より大きいかまたは同じ値のうち最も小さい値であり、
ＣＳＩプロセスは、２つのサブフレームセットを含むことを特徴とする端末。
【請求項１０】
前記制御部は、
前記ＣＳＩ要請フィールドの値に基づくＣＳＩプロセスの個数が、ＣＳＩプロセスの最大数を超えると、最も低いインデックスを有するＣＳＩプロセスをレポートするように制御することを特徴とする請求項９に記載の端末。
【請求項１１】
少なくとも１つのＣＳＩプロセスのセットが前記端末に設定されたことを特徴とする請求項９に記載の端末。
【請求項１２】
前記時間ドメインで前記ｎＣＱＩ＿ｒｅｆは、前記ＣＳＩレファレンスリソースが、前記上向きリンクＤＣＩフォーマットで対応するＣＳＩ要請と同一の有効下向きリンクサブフレームにあるように定義されることを特徴とする請求項９に記載の端末。
【請求項１３】
チャネル状態情報（ＣＳＩ：ｃｈａｎｎｅｌ  ｓｔａｔｅ  ｉｎｆｏｒｍａｔｉｏｎ）レポートを受信する基地局において、
信号を送受信する送受信部と、
上向きリンクＤＣＩフォーマットのＣＳＩ要請フィールドの値を端末に伝送し、前記ＣＳＩ要請フィールドの値に対応する非周期的なＣＳＩレポートを受信するように制御する制御部と、を含み、
前記非周期的なＣＳＩレポートは、ＣＳＩレファレンスリソースに基づき、
前記ＣＳＩレファレンスリソースは、時間ドメインで下向きリンクサブフレームｎ−ｎＣＱＩ＿ｒｅｆによって定義され、前記ｎＣＱＩ＿ｒｅｆは、前記上向きリンクＤＣＩフォーマットに関連した下向きリンクサブフレームに基づいて定義され、
前記ＣＳＩレファレンスリソースが有効下向きリンクサブフレームにあるように、ＣＳＩプロセスの個数が第１値である場合、前記ｎＣＱＩ＿ｒｅｆは、第１最小値より大きいかまたは同じ値のうち最も小さい値であり、前記ＣＳＩプロセスの個数が第２値である場合、前記ｎＣＱＩ＿ｒｅｆは、第２最小値より大きいかまたは同じ値のうち最も小さい値であり、
ＣＳＩプロセスは、２つのサブフレームセットを含むことを特徴とする基地局。
【請求項１４】
前記ＣＳＩ要請フィールドの値に基づくＣＳＩプロセスの個数が、ＣＳＩプロセスの最大数を超えると、最も低いインデックスを有するＣＳＩプロセスがレポートされることを特徴とする請求項１３に記載の基地局。
【請求項１５】
少なくとも１つのＣＳＩプロセスのセットが前記端末に設定されたことを特徴とする請求項１３に記載の基地局。
【請求項１６】
前記時間ドメインで前記ｎＣＱＩ＿ｒｅｆは、前記ＣＳＩレファレンスリソースが、前記上向きリンクＤＣＩフォーマットで対応するＣＳＩ要請と同一の有効下向きリンクサブフレームにあるように定義されることを特徴とする請求項１３に記載の基地局。
【発明の詳細な説明】
【技術分野】
【０００１】
本発明は、協同多重ポイント（ＣｏＭＰ：Ｃｏｏｒｄｉｎａｔｅｄ  Ｍｕｌｔｉ−Ｐｏｉｎｔ）通信に関し、より詳細には、ＣｏＭＰ通信のためのチャネル状態情報（ＣＳＩ：ｃｈａｎｎｅｌ  ｓｔａｔｅ  ｉｎｆｏｒｍａｔｉｏｎ）フィードバックに関する。
【背景技術】
【０００２】
ＣｏＭＰ技術は、さまざまな使用シナリオでユーザ装置（ＵＥ：ｕｓｅｒ  ｅｑｕｉｐｍｅｎｔ）が多重伝送ポイント（ＴＰ：ｔｒａｎｓｍｉｓｓｉｏｎ  ｐｏｉｎｔ）から信号を受信するように標準化されて来た。前記さまざまなシナリオは、１）イントラサイトＣｏＭＰを有する同種ネットワーク；２）高伝送（Ｔｘ）電力遠隔無線ヘッド（ＲＲＨ：ｒｅｍｏｔｅ  ｒａｄｉｏ  ｈｅａｄ）を有する同種ネットワーク；３）ＲＲＨによって生成された伝送／受信ポイントがマクロセルと異なるセル識別子を有するマクロセルカバレージ内の低電力ＲＲＨを有する異種ネットワーク；及び４）ＲＲＨによって生成された伝送／受信ポイントがマクロセルと同一のセル識別子を有するマクロセルカバレージ内の低電力ＲＲＨを有する異種ネットワークを含む。標準化に焦点を合わせて識別されるＣｏＭＰ通信スキーム（ｓｃｈｅｍｅｓ）は、共同伝送（ＪＴ：ｊｏｉｎｔ  ｔｒａｎｓｍｉｓｓｉｏｎ）；動的ポイントブランキング（ｄｙｎａｍｉｃ  ｐｏｉｎｔ  ｂｌａｎｋｉｎｇ）を含む動的ポイント選択（ＤＰＳ：ｄｙｎａｍｉｃ  ｐｏｉｎｔ  ｓｅｌｅｃｔｉｏｎ）；及び動的ポイントブランキングを含む協同スケジューリング／ビームフォーミング（ｃｏｏｒｄｉｎａｔｅｄ  ｓｃｈｅｄｕｌｉｎｇ／ｂｅａｍｆｏｒｍｉｎｇ）である。さらに、ＣｏＭＰ使用シナリオの説明は、３ＧＰＰ  ＴＳ  ３６．８１９に含まれ、これは、参照としてここに含まれる。
【発明の概要】
【課題を解決するための手段】
【０００３】
サービングセルにチャネル状態情報（ＣＳＩ：ｃｈａｎｎｅｌ  ｓｔａｔｅ  ｉｎｆｏｒｍａｔｉｏｎ）フィードバックレポートを伝送するための方法が提供される。前記方法は、時分割二重化（ＴＤＤ：ｔｉｍｅ  ｄｉｖｉｓｉｏｎ  ｄｕｐｌｅｘ）において、単一（ｓｉｎｇｌｅ）下向きリンク（ｄｏｗｎｌｉｎｋ）サブフレームn-nCQI_refによって定義されるＣＳＩレファレンスソースで少なくとも１つの周期的（ｐｅｒｉｏｄｉｃ）ＣＳＩプロセスを構成する段階を含み、nCQI_refは、有効下向きリンクサブフレームに対応するように、正の整数nCQI_ref_minより大きいかまたは同じ値のうち最も小さい値であり、nCQI_ref_minは、少なくとも１つの周期的ＣＳＩプロセスの数を基礎に変化する。
【０００４】
サービングセルにＣＳＩフィードバックレポートを伝送するための装置が提供される。前記装置は、ＴＤＤにおいて、単一下向きリンクサブフレームn-nCQI_refによって定義されるＣＳＩレファレンスソースで少なくとも１つの周期的ＣＳＩプロセスを構成する制御機を含み、nCQI_refは、有効下向きリンクサブフレームに対応するように、正の整数nCQI_ref_minより大きいかまたは同じ値のうち最も小さい値であり、nCQI_ref_minは、少なくとも１つの周期的ＣＳＩプロセスの数を基礎に変化する。
【０００５】
ユーザ装置（ＵＥ：Ｕｓｅｒ  Ｅｑｕｉｐｍｅｎｔ）からＣＳＩフィードバックレポートを受信するための方法が提供される。前記方法は、ＴＤＤにおいて、単一下向きリンクサブフレームn-nCQI_refによって定義されるＣＳＩレファレンスソースで少なくとも１つの周期的ＣＳＩプロセスを構成する段階を含み、nCQI_refは、有効下向きリンクサブフレームに対応するように、正の整数nCQI_ref_minより大きいかまたは同じ値のうち最も小さい値であり、nCQI_ref_minは、少なくとも１つの周期的ＣＳＩプロセスの数を基礎に変化する。
【０００６】
ＵＥからＣＳＩフィードバックレポートを受信するための装置が提供される。前記装置は、ＴＤＤにおいて、単一下向きリンクサブフレームn-nCQI_refによって定義されるＣＳＩレファレンスソースで少なくとも１つの周期的ＣＳＩプロセスを構成する制御機を含み、nCQI_refは、有効下向きリンクサブフレームに対応するように、正の整数nCQI_ref_minより大きいかまたは同じ値のうち最も小さい値であり、nCQI_ref_minは、少なくとも１つの周期的ＣＳＩプロセスの数を基礎に変化する。
【０００７】
基地局にＣＳＩフィードバックレポートするための方法が提供される。前記方法は、ＵＥによって、各サービングセルに対して最も低いインデックスを有するＣＳＩプロセスのＣＳＩ要請を除いたサービングセルから到着した１つ以上の非周期的な（ａｐｅｒｉｏｄｉｃ）ＣＳＩ要請を収容しない段階を含む。最も低いインデックスを有する前記１つ以上のＣＳＩプロセスの数は係留中のＣＳＩレポートの数に基づいて決定される。
【０００８】
基地局からＣＳＩフィードバックレポートを受信するための装置が提供される。ＵＥによって、各サービングセルに対して最も低いインデックスを有するＣＳＩプロセスのＣＳＩ要請を除いたサービングセルから到着した１つ以上の非周期的なＣＳＩ要請を収容しない制御機を含む。最も低いインデックスを有する前記１つ以上のＣＳＩプロセスの数は、係留中のＣＳＩレポートの数に基づいて決定される。
【０００９】
下記のような詳細な説明に入るに先立って、本特許文献全体にわたって使用された単語及び構文の定義について説明する。“具備する（ｉｎｃｌｕｄｅ）”及び“含む（ｃｏｍｐｒｉｓｅ）”という用語及びその派生語は、制限なしに含むことを意味する；“または（ｏｒ）”という用語は、及び／または（ａｎｄ／ｏｒ）の意味を含むことができる；“何と関連した（ａｓｓｏｃｉａｔｅｄ  ｗｉｔｈ）”及び“そこに関連した（ａｓｓｏｃｉａｔｅｄ  ｔｈｅｒｅｗｉｔｈ）”という構文及びその派生語は、具備する（ｉｎｃｌｕｄｅ）、何の中に具備される（ｂｅ  ｉｎｃｌｕｄｅｄ  ｗｉｔｈｉｎ）、何と相互連結する（ｉｎｔｅｒｃｏｎｎｅｃｔ  ｗｉｔｈ）、含む（ｃｏｎｔａｉｎ）、何の中に含まれる（ｂｅ  ｃｏｎｔａｉｎｅｄｗｉｔｈｉｎ）、何にまたは何と連結する（ｃｏｎｎｅｃｔ  ｔｏ  ｏｒ  ｗｉｔｈ）、何にまたは何と結合する（ｃｏｕｐｌｅ  ｔｏ  ｏｒ  ｗｉｔｈ）、何と通信することができる（ｂｅ  ｃｏｍｍｕｎｉｃａｂｌｅ  ｗｉｔｈ）、何に協力する（ｃｏｏｐｅｒａｔｅ  ｗｉｔｈ）、挟みこむ（ｉｎｔｅｒｌｅａｖｅ）、並置する（ｊｕｘｔａｐｏｓｅ）、何に近似する（ｂｅ  ｐｒｏｘｉｍａｔｅ  ｔｏ）、何にまたは何と結束される（ｂｅ  ｂｏｕｎｄ  ｔｏ  ｏｒ  ｗｉｔｈ）、有する（ｈａｖｅ）、何の特性を有する（ｈａｖｅ  ａ  ｐｒｏｐｅｒｔｙ  ｏｆ）などの意味になることができる。“制御機（ｃｏｎｔｒｏｌｌｅｒ）”という用語は、ハードウェア、ファームウエア、ソフトウェアまたはそのようなもの（ハードウェア、ファームウエア、ソフトウェア）のうち少なくとも２つの組合で具現されるそのような装置の少なくとも１つの動作を制御するどんな装置、システムまたはそれらの一部を意味する。ある個別制御機に関連した機能は、近接するかまたは遠隔で、中央集中されるかまたは分散することができることに留意しなければならない。単語及び構文に対する定義は、この特許文献全体にわたって提供され、この技術分野における通常の知識を有する者なら多くの場合に、あるいはそうではなければ、大部分の場合で、そのように定義された単語と構文のこれからの使用とともに、先立って適用されたそのような定義を理解することができる。
【図面の簡単な説明】
【００１０】
本開示及びその長所に対するさらに明確な理解のために、添付の図面とともに以下の説明が参照される。図面で、同一の参照番号は同一の部分を示す。
【図１】本発明の原理によるメッセージを伝送する例示的な無線ネットワークを示す。
【図２】本発明の実施例による直交周波数分割多重接続（ＯＦＤＭＡ：ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）伝送経路の上位レベル図面を示す。
【図３】本発明の実施例による直交周波数分割多重接続（ＯＦＤＭＡ）受信経路の上位レベル図面を示す。
【図４】本発明の多様な実施例を具現するために使用され得る無線通信システムで送信機及び受信機のブロック図を示す。
【図５】本発明の多様な実施例によるＣｏＭＰ通信システムのブロック図を示す。
【図６ａ】本発明の実施例によるＣｏＭＰ伝送のためのＣＳＩフィードバックが具現されるネットワークを示す上位レベル図である。
【図６ｂ】本発明の実施例によるＣｏＭＰ伝送のためのＣＳＩフィードバックが具現されるネットワークを示す上位レベル図である。
【図６ｃ】本発明の実施例によるＣｏＭＰ伝送のためのＣＳＩフィードバックが具現されるネットワークを示す上位レベル図である。
【図７】本発明の実施例による時間で多重化され得る多重のＣＳＩ−ＲＳリソースに対応するフィードバックレポーティングを示す。
【図８】本発明の実施例による任意のレポート形式のために一緒に構成され得る多重ＣＳＩリソースのためのフィードバックレポーティングを示す。
【図９Ａ】本発明の実施例によるＵＥ自律ＴＰスイッチングで構成される単一周期ＰＵＣＣＨの例を示す。
【図９Ｂ】本発明の実施例によるＵＥ自律ＴＰスイッチングで構成される単一周期ＰＵＣＣＨの例を示す。
【図１０Ａ】本発明の実施例によるＩＭＲリソース及びＣＳＩサブフレームの構成を有するレファレンスサブフレームのはいを示す。
【図１０Ｂ】本発明の実施例によるＩＭＲリソース及びＣＳＩサブフレームの構成を有するレファレンスサブフレームのはいを示す。
【図１１】本発明の実施例によるＣｏＭＰシステムでＵＥによってレポーティングドエはＣＳＩフィードバックのためのプロセスを示す。
【図１２】本発明の実施例による上向きリンクＣＳＩ伝送を示す。
【図１３】本発明の実施例による周期的なＣＳＩレポーティングの衝突を示す。
【発明を実施するための形態】
【００１１】
本特許文献で本発明の原理を説明するために使用された多様な実施例及び以下で論議される図１〜図１３は、ただ説明のためのものであって、本発明の範囲を制限する式に解釈されてはならない。適切に定められたシステムやデバイスのいずれにも本発明の原理が具現され得ることは、この技術分野における通常の知識を有する者なら誰でも理解することができる。
【００１２】
次の標準文書は、参照として本文献に含まれる。１）３ＧＰＰ  ＴＳ  ３６．２１１  ｖ１０．１．０、“Ｅ−ＵＴＲＡ、Ｐｈｙｓｉｃａｌ  ｃｈａｎｎｅｌｓ  ａｎｄ  ｍｏｄｕｌａｔｉｏｎ”（参照１）；２）３ＧＰＰ  ＴＳ  ３６．２１２  ｖ１０．１．０、“Ｅ−ＵＴＲＡ、Ｍｕｌｔｉｐｌｅｘｉｎｇ  ａｎｄ  Ｃｈａｎｎｅｌ  ｃｏｄｉｎｇ”（参照２）；３）３ＧＰＰ  ＴＳ  ３６．２１３  ｖ１０．１．０、“Ｅ−ＵＴＲＡ、Ｐｈｙｓｉｃａｌ  Ｌａｙｅｒ  Ｐｒｏｃｅｄｕｒｅｓ”（参照３）；４）ＲＰ−１１１３６５  ＣｏｏｒｄｉｎａｔｅｄＭｕｌｔｉ−Ｐｏｉｎｔ  Ｏｐｅｒａｔｉｏｎ  ｆｏｒ  ＬＴＥＷＩＤ；及び５）３ＧＰＰ  ＴＲ  ３６．８１９  Ｖ１１．０．０（２０１１−０９）（参照４）。
【００１３】
以下の図１〜図３は、無線通信システムに具現され、ＯＦＤＭまたはＯＦＤＭＡ通信技術を使用する多様な実施例を説明する。図１〜図３の説明は、他の実施例で具現され得る方式に対する物理的または構造的限界を示すためのものではない。本発明の他の実施例は、通信システムに任意に適合に適用されて具現されてもよい。
【００１４】
図１は、例示的な無線ネットワーク（１００）を示し、この無線ネットワークは、本発明の原理によるメッセージを伝送する。図示の実施例で、無線ネットワーク１００は、基地局（ＢＳ：ｂａｓｅ  ｓｔａｔｉｏｎ）１０１、基地局（ＢＳ）１０２、基地局（ＢＳ）１０３、及び他の類似の基地局または中継局（図示せず）のような、伝送ポイント（例えば、向上した（Ｅｖｏｌｖｅｄ）ＮｏｄｅＢ（ｅＮＢ）、ＮｏｄｅＢ）を含む。基地局１０１は、基地局１０２及び基地局１０３と通信中にある。基地局１０１は、また、ネットワーク１３０または類似のＩＰ基盤ネットワーク（図示せず）と通信する状態にある。
【００１５】
基地局１０２は、基地局１０２のカバレージ領域１２０内の複数の第１ＵＥ（例えば、モバイルフォン、移動局、加入者端末）に対してネットワーク１３０に対する（基地局１０１を通じて）無線広帯域接続を提供する。複数の第１ＵＥは、小規模事業者（ＳＢ：ｓｍａｌｌ  ｂｕｓｉｎｅｓｓ）に位置することができるＵＥ  １１１、大規模事業者（Ｅ：ｅｎｔｅｒｐｒｉｓｅ）に位置することができるＵＥ  １１２、ＷｉＦｉホットスポット（ＨＳ：ｈｏｔｓｐｏｔ）に位置することができるＵＥ  １１３、第１居住地（Ｒ：ｒｅｓｉｄｅｎｃｅ）に位置することができるＵＥ  １１４、第２居住地（Ｒ：ｒｅｓｉｄｅｎｃｅ）に位置することができるＵＥ  １１５、及びセルラフォン、無線ラップトップ、無線ＰＤＡなどのようなモバイル装置（Ｍ）になることができるＵＥ  １１６を含む。
【００１６】
ネットワーク類型によって、“ｅＮｏｄｅＢ”または“アクセスポイント”のように他のよく知られた用語が“基地局”の代わりに使用され得る。便宜上、用語“基地局”は、本文献で遠隔端末に対する無線接続を提供するネットワークインフラストラクチャーコンポネントを示すものと使用され得る。追加に、用語“ユーザ装置”または“ＵＥ”は、本文献で基地局に無線で接続し、消費者によって無線通信ネットワークを通じてサービスに接続するために使用され得る任意の遠隔無線装置を示すために使用され、ＵＥは、モバイル装置（例えば、セルラーフォン）または一般的に考慮される固定型装置（例えば、デスクトップパソコンバンディングマシンなど）である。遠隔端末に対して他のよく知られた用語は、移動局（ＭＳ：ｍｏｂｉｌｅ  ｓｔａｔｉｏｎｓ）、加入者端末（ＳＳ：ｓｕｂｓｃｒｉｂｅｒ  ｓｔａｔｉｏｎｓ）、遠隔端末（ＲＴ：ｒｅｍｏｔｅ  ｔｅｒｍｉｎａｌ）、無線端末（ＷＴ：ｗｉｒｅｌｅｓｓ  ｔｅｒｍｉｎａｌ）などを含む。
【００１７】
基地局１０３は、基地局１０３のカバレージ領域内で複数の第２ＵＥにネットワーク１３０に対する（基地局１０１を通じて）無線広帯域接続を提供する。複数の第２ＵＥは、ＵＥ  １１５及びＵＥ  １１６を含む。本発明の実施例において、基地局１０１−１０３は、相互間に通信することができ、ＯＦＤＭまたはＯＦＤＭ技術を利用してＵＥ  １１１−１１５と通信することができる。一部の実施例において、１つ以上の基地局１０１−１０３は、相互間に通信することができ、本発明の実施例で説明されるチャネル状態情報（ＣＳＩ）フィードバックレポーティングのために５Ｇ、ＬＴＥ、ＬＴＥ−ＡまたはＷｉＭＡＸ技術を利用してＵＥ  １１１−１１６と通信することができる。
【００１８】
ただ６個のＵＥが図１に示されたが、無線システム１００が追加のＵＥに無線広帯域接続を提供することができるものと理解されなければならない。ＵＥ  １１５及びＵＥ  １１６がカバレージ領域１２０及びカバレージ領域１２５両方のエッジに位置することに留意しなければならない。ＵＥ  １１５及びＵＥ  １１６それぞれは、基地局１０２及び基地局１０３両方と通信し、この技術分野における通常の知識を有する者に広く知られたような、ハンドオフ（ｈａｎｄｏｆｆ）モードで動作すると言える。
【００１９】
ＵＥ  １１１〜１１６は、音声、データ、ビデオ、ビデオ会議、及び／または他の広帯域サービスにネットワーク１３０を通じて接続することができる。本発明の実施例で、１つ以上の加入者ＵＥ  １１１〜１１６は、ＷｉＦｉ  ＷＬＡＮ（Ｗｉｒｅｌｅｓｓ  Ｆｉｄｅｌｉｔｙ  Ｗｉｒｅｌｅｓｓ  Ｌｏｃａｌ  Ａｒｅａ  Ｎｅｔｗｏｒｋ）のアクセスポイント（ＡＰ：Ａｃｃｅｓｓ  Ｐｏｉｎｔ）に連動し得る。ＵＥ  １１６は、無線連結可能なラップトップコンピュータ、ＰＤＡ（ｐｅｒｓｏｎａｌ  ｄａｔａ  ａｓｓｉｓｔａｎｔ）、ノート・パソコン、携帯用装置、または他の無線連結可能な装置を含む、どんな多数のモバイル装置になることができる。ＵＥ  １１４及び１１５は、例えば、無線連結可能なパソコン（ＰＣ：Ｐｅｒｓｏｎａｌ  Ｃｏｍｐｕｔｅｒ）、ラップトップコンピュータ、ゲートウェイ、または他の装置になることができる。
【００２０】
図２は、伝送経路回路２００の上位レベル図である。例えば、伝送経路回路２００は、直交周波数分割多重接続（ＯＦＤＭＡ：ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）通信のために使用され得る。図３は、受信経路回路３００の上位レベル図である。例えば、受信経路回路３００は、ＯＦＤＭＡ通信のために使用され得る。都２及び図３で、下向きリンク通信のために、伝送経路回路２００は、基地局１０２または中継局に具現され得、受信経路回路３００は、ＵＥ（例えば、図１のＵＥ  １１６）に具現され得る。他の例において、上向きリンク（ｕｐｌｉｎｋ）通信のために、受信経路回路３００は、基地局（例えば、図１の基地局１０２）または中継局に具現され得、伝送経路回路２００は、ＵＥ（例えば、図１のＵＥ  １１６）に具現されることもできる。ある実施例において、伝送経路２００及び受信経路３００は、本発明の実施例によって説明されるように、チャネル状態情報フィードバックレポーティングを行うために構成され得る。
【００２１】
伝送経路回路２００は、チャネルコーディング及び変調ブロック２０５、直列−対−並列（ｓｅｒｉａｌ−ｔｏ−ｐａｒａｌｌｅｌ：Ｓ−ｔｏ−Ｐ）ブロック２１０、サイズＮ逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ）ブロック２１５、並列−対−直列（ｐａｒａｌｌｅｌ−ｔｏ−ｓｅｒｉａｌ：Ｐ−ｔｏ−Ｓ）ブロック２２０、循環前置（ＣＰ：ｃｙｃｌｉｃ  ｐｒｅｆｉｘ）挿入ブロック２２５、及びアップコンバータ（ＵＣ：ｕｐ−ｃｏｎｖｅｒｔｅｒ）２３０を含む。受信経路回路３００は、ダウンコンバータ（ＤＣ：ｄｏｗｎ−ｃｏｎｖｅｒｔｅｒ）２５５、循環前置（ＣＰ：ｃｙｃｌｉｃ  ｐｒｅｆｉｘ）除去ブロック２６０、直列−対−並列（ｓｅｒｉａｌ−ｔｏ−ｐａｒａｌｌｅｌ：Ｓ−ｔｏ−Ｐ）ブロック２６５、サイズＮ高速フーリエ変換（ＦＦＴ：Ｆａｓｔ  Ｆｏｕｒｉｅｒ  Ｔｒａｎｓｆｏｒｍ）ブロック２７０、並列−対−直列（ｐａｒａｌｌｅｌ−ｔｏ−ｓｅｒｉａｌ：Ｐ−ｔｏ−Ｓ）ブロック２７５、及びチャネルデコーディング及び復調ブロック２８０を含む。
【００２２】
図２及び図３のコンポネントの少なくとも一部は、ソフトウェアで具現され得、一方、他のコンポネントは、設定可能なハードウェア（ｃｏｎｆｉｇｕｒａｂｌｅ  ｈａｒｄｗａｒｅ）またはソトプウェオと設定可能なハードウェアの組合でも具現され得る。特に、本発明の文献に記述された高速フーリエ変換（ＦＦＴ）ブロック及び逆高速フーリエ変換（ＩＦＦＴ）ブロックは、高速フーリエ変換（ＦＦＴ）及び逆高速フーリエ変換（ＩＦＦＴ）のサイズＮの値が個別具現によって修正され得る設定可能なソフトウェアアルゴリズムで具現され得るという点に注目しなければならない。
【００２３】
さらに、本発明の実施例が高速フーリエ変換（ＦＦＴ）及び逆高速フーリエ変換（ＩＦＦＴ）を具現する実施例を直接言及しているとしても、これは、ただ説明のためのものであって、本発明の範囲を限定するものと解釈されてはならない。本発明の代案的な実施例において、高速フーリエ変換（ＦＦＴ）機能及び逆高速フーリエ変換（ＩＦＦＴ）機能は、簡単にそれぞれ離散フーリエ変換（ＤＦＴ：Ｄｉｓｃｒｅｔｅ  Ｆｏｕｒｉｅｒ  Ｔｒａｎｓｆｏｒｍ）機能及び逆離散フーリエ変換（ＩＤＦＴ：Ｉｎｖｅｒｓｅ  Ｄｉｓｃｒｅｔｅ  Ｆｏｕｒｉｅｒ  Ｔｒａｎｓｆｏｒｍ）機能に代替されてもよいことを理解しなければならない。離散フーリエ変換（ＤＦＴ）及び逆離散フーリエ変換（ＩＤＦＴ）機能のために、変数Ｎの値は、整数になることができ（例えば、１、２、３、４など）、一方、高速フーリエ変換（ＦＦＴ）及び逆高速フーリエ変換（ＩＦＦＴ）機能のために、変数Ｎの値は、２の二乗である整数になることができる（例えば、１、２、４、８、１６など）を理解しなければならない。
【００２４】
伝送経路回路２００で、チャネルコーディング及び変調ブロック２０５は、情報ビットのセットを受信すれば、周波数ドメイン変調シンボルのシーケンスを生成するために入力ビットにコーディング（例えば、ＬＤＰＣコーディング）を適用し、変調（例えば、ＱＰＳＫ（Ｑｕａｄｒａｔｕｒｅ  Ｐｈａｓｅ  Ｓｈｉｆｔ  Ｋｅｙｉｎｇ）、ＱＡＭ（ＱｕａｄｒａｔｕｒｅＡｍｐｌｉｔｕｄｅ  Ｍｏｄｕｌａｔｉｏｎ））し、周波数ドメイン変調シンボルのシーケンスを生成する。直列−対−並列ブロック２１０は、直列の変調シンボルを並列のデータに変換（例えば、逆多重化）し、Ｎ個の並列シンボルストリームを生成する。ここで、Ｎは、ＢＳ１０２及びＵＥ  １１６で使用されるＩＦＦＴ／ＦＦＴのサイズである。それでは、サイズＮＩＦＦＴブロック２１５は、Ｎ個の並列のシンボルストリームに対してＩＦＦＴ動作を行い、時間ドメイン出力信号を生成する。並列−対−直列ブロック２２０は、サイズＮＩＦＦＴブロック２１５からの並列の時間ドメイン出力シンボルを変換（例えば、多重化）し、直列の時間ドメイン信号を生成する。その後、循環前置挿入ブロック２２５は、循環前置（ＣＰ）を時間ドメイン信号に挿入する。最後に、アップコンバータ２３０は、循環前置挿入ブロック２２５の出力を無線チャネルを通じて伝送するための無線周波数（ＲＦ：ｒａｄｉｏ  ｆｒｅｑｕｅｎｃｙ）に変調（例えば、アップコンバータ（ｕｐ−ｃｏｎｖｅｒｔ））する。信号は、また、無線周波数（ＲＦ）に変換される前に基底帯域（ＢＢ：ｂａｓｅｂａｎｄ）でフィルタリングされてもよい。
【００２５】
伝送された高周波（ＲＦ）信号は、無線チャネルを通過した後、ＵＥ  １１６に到着し、基地局１０２で行われた動作の逆動作が行われる。ダウンコンバータ２５５は、受信された信号を基底帯域周波数にダウンコンバートし、循環前置除去ブロック２６０は、循環前置（ＣＰ）を除去し、直列の時間ドメイン基底帯域信号を生成する。直列−対−並列ブロック２６５は、時間ドメイン基底帯域信号を変換し、並列の時間ドメイン信号を生成する。その後、サイズＮＦＦＴブロック２７０は、ＦＦＴアルゴリズムを行い、Ｎ個の並列の周波数ドメイン信号を生成する。並列−対−直列ブロック２７５は、並列の周波数ドメイン信号を変調されたデータシンボルのシーケンスに変換する。チャネルデコーディング及び復調ブロック２８０は、変調されたシンボルを復調し、デコーディングし、元々の入力データストリームを復元する。
【００２６】
各ＢＳ  １０１〜１０３は、ＵＥ  １１１〜１１６に対する下向きリンクで伝送と類似の伝送経路を行い、ＵＥ  １１１〜１１６からの上向きリンクで受信と類似の受信経路を行うことができる。同様に、ＵＥ  １１１〜１１６のうちそれぞれのものは、ＢＳ  １０１〜１０３に対する上向きリンクで伝送のためのアキテクチャーによって伝送経路を行うことができ、ＢＳ１０１〜１０３からの下向きリンクで受信のためのアキテクチャーによって受信経路を行うことができる。
【００２７】
図４は、本発明の多様な実施例を具現するために使用され得る無線通信システムで送信機４０５及び受信機４１０のブロック図を示す。図４に示された送信機４０５及び受信機４１０の実施例は、ただ説明のためのものである。他の実施例が本発明の範囲を逸脱することなく使用されることができる。
【００２８】
この説明の例で、送信機４０５及び受信機４１０は、例えば、図１の無線システム１００のような無線通信システムで通信ポイントにある装置である。一部の実施例において、送信機４０５または受信機４１０は、例えば、ｅＮＢ（ｅｖｏｌｖｅｄ  ＮｏｄｅＢ）、ＲＲＨ（ｒｅｍｏｔｅ−ｒａｄｉｏ  ｈｅａｄ）、中継局、アンダーレイ基地局；ゲートウェイまたは基地局制御機（ＢＳＣ：ｂａｓｅｓｔａｔｉｏｎ  ｃｏｎｔｒｏｌｌｅｒ）などの基地局のような、ネットワークエンティティーである。他の実施例で、送信機４０５または受信機４１０は、ＵＥ（例えば、移動局、加入者端末など）である。一実施例において、送信機４０５または受信機４１０は、図１のＵＥ  １１６の一実施例の例である。他の実施例において、送信機４０５または受信機４１０は、図１のＢＳ１０２の一実施例の例である。
【００２９】
送信機４０５は、アンテナ４１５、位相シフタ４２０、伝送プロセス回路４２５及び制御機４３０を含む。送信機４０５は、出力されるベースバンドデータからアナログまたはデジタル信号を受信する。送信機４０５は、送信機４０５を通じて伝送及び／または送信される処理されたＲＦ信号を生成するために出力されるベースバンドデータをエンコードし、多重化し及び／またはデジタル化する。例えば、伝送プロセス回路４２５は、図２の伝送プロセッシング回路２００と類似の伝送経路を具現することができる。送信機４０５は、また、多重の互いに異なるビームの信号を伝送するためにアンテナ４１５で互いに異なるアンテナに対するレイヤードマッピングを通じて空間多重化を行うことができる。制御機４３０は、送信機４０５の全体的な動作を制御する。そのような１つの動作で、制御機４３０は、よく知られた原理によって送信機４０５による信号の伝送を制御する。
【００３０】
受信機４１０は、アンテナ４３５から入力されるＲＦ信号または基地局、中継局、ＲＲＨ、ＵＥなどのような１つ以上の伝送ポイントによって伝送される信号を受信する。受信機４１０は、伝送ポイントによって伝送される情報を識別するために受信される信号を処理する受信プロセス回路４４５を含む。例えば、受信プロセス回路４４５は、受信された信号をチャネル推定、復調、ストリーム分離、フィルタリング、デコーディング及び／またはデジタル化し、中間周波数（ＩＦ：ｉｎｔｅｒｍｅｄｉａｔｅ  ｆｒｅｑｕｅｎｃｙ）またはベースバンド信号を生成するために入力されるＲＦ信号をダウンコンバートすることができる。例えば、受信プロセス回路４４５は、図３の受信プロセス回路３００と類似の受信経路を具現することができる。制御機４５０は、受信機４１０の全体動作を制御する。そのような１つの動作で、制御機４５０は、よく知られた原理によって受信機４１０による信号の受信を制御する。
【００３１】
多様な実施例において、送信機４０５は、ＴＰ内に位置し、受信機は、ＣｏＭＰ通信システムのＵＥ内に位置する。例えば、ＣｏＭＰ通信で、多重ＴＰは、ＵＥに対して伝送する送信機４０５と類似の送信機を含むことができる。多重ＴＰは、基地局（例えば、ｅＮＢ、マクロ基地局など）、ＲＲＨ、及び／またはアンダーレイ基地局（例えば、マイクロ基地局、中継局など）の任意の組合になることができる。
【００３２】
図４に示された送信機４０５及び受信機４１０の説明は、本発明の実施例が具現され得る一実施例を説明するためのものである。送信機４０５及び受信機４１０の他の実施例は、本発明の範囲を逸脱することなく使用され得る。例えば、送信機４０５は、受信機４１０のような、受信機を含む通信ノード（例えば、ＢＳ、ＵＥ、ＲＳ及びＲＲＨ）に位置され得る。同様に、受信機４１０は、送信機４０５のような、受信機を含む通信ノード（例えば、ＢＳ、ＵＥ、ＲＳ及びＲＲＨ）に位置することができる。通信ノードで送信及び受信アンテナアレイでのアンテナは、１つ以上のアンテナスイッチングメカニズムを通じてオーバーラップされるか、あるいは送信及び受信のために使用される同一のアンテナアレイになることができる。
【００３３】
図５は、本発明の多様な実施例によるＣｏＭＰ通信システム５００のブロック図を示す。図５に示されたようなＣｏＭＰ通信システム５００の実施例は、ただ説明のためのものである。他の実施例が本発明の範囲を逸脱することなく使用され得る。
【００３４】
この実施例において、ＣｏＭＰ通信システム５００は、ＵＥ  ５０５及び２個のＴＰ  ５１０及び５１５を含む。例えば、ＵＥ  ５０５は、図４に示されたような受信機及び送信機を含むことができる。ＴＰ  ５１０及び５１５は、また、図４に示されたような送信機及び受信機を含むことができる。ＴＰ  ５１０及び５１５は、任意の基地局（例えば、ｅＮＢ、マクロ基地局など）、ＲＲＨ及び／またはアンダーレイ基地局（例えば、マイクロ基地局、中継局など）の組合になることができる。追加に、他のＴＰ及びＵＥがＣｏＭＰ通信システム５００に提供され得る。例えば、２以上のＴＰが同一のＵＥ  ５０５と通信することができる。
【００３５】
ＴＰ  ５１０及び５１５は、ネットワーク５２０と連結される。例えば、ＴＰ  ５１０及び５１５は、有線ライン及び／または光ファイバネットワークによって連結されることができる。ネットワーク  ５２０は、ＴＰ  ５１０及び５１５とＵＥ  ５０５の間の無線通信のためのデータ及び制御情報を提供するためにＴＰ  ５１０及び５１５の間の連結を提供する。ネットワーク５２０は、ＣｏＭＰ通信システム５００で無線通信のためのスケジューリングを行う。例えば、ネットワーク５２０は、１つ以上のゲートウェイまたは基地局制御機を含むことができる。仕事例で、ネットワーク５２０は、図１のネットワーク１３０の一実施例になることができる。
【００３６】
図６ａ、図６ｂ及び図６ｃは、本発明の実施例によるＣｏＭＰ伝送のためのＣＳＩフィードバックが具現され得るネットワークを示す上位レベル図である。図６ａ、図６ｂ及び図６ｃに示されたようなネットワークの実施例は、ただ説明のためのものである。他の実施例は、本発明の範囲を逸脱することなく使用され得る。
【００３７】
図６ａは、イントラサイトＣｏＭＰを有する同種の無線通信ネットワーク６００を示す。実質的に多様な形状を有することができるが説明の便宜のために６角形で図６ａに簡略に示された、各セルまたはカバレージ領域６０２は、また、以下で、３ＧＰＰ（３ｒｄ  Ｇｅｎｅｒａｔｉｏｎ  Ｐａｒｔｎｅｒｓｈｉｐ  Ｐｒｏｊｅｃｔ）によって知られたＬＴＥ（Ｌｏｎｇ  Ｔｅｒｍ  Ｅｖｏｌｕｔｉｏｎ）ファミリの標準のためのｅＮＢと称され得る。各ｅＮＢ  ６０４は、メモリに通信可能に連結され、送信機と受信機を通じて少なくとも１つのアンテナを利用して無線信号の送信及び受信のための送受信機と連結される、プログラム可能なプロセッサのような、制御システムを含むことができる。各ｅＮＢ  ６０４の制御システムは、対応するカバレージ領域６０２内への移動局からの、フィードバックのような、特定形式の通信をスケジューリングできる。ｅＮＢ  ６０４は、そのような通信のＣｏＭＰ伝送が行われるようにこの技術分野で知られたものによって相互間に通信する状態である。
【００３８】
カバレージ領域６０２に位置する（または通過する）複数のＵＥ（または“移動局”）は、ｅＮＢ  ６０４から無線信号を受信し、ｅＮＢ  １０４を経た無線信号によってデータを伝送する、ｅＮＢ  ６０４によってサービスされ、時には、同時に１つ以上のｅＮＢ  １０４によってサービスされ得る。各ＵＥは、メモリに通信可能に連結され、送信機と受信機を通じて少なくとも１つのアンテナを利用して無線信号の送信及び受信のための送受信機と連結される、プログラム可能なプロセッサのような、制御システムを含むことができる。この技術分野でよく知られたように、ｅＮＢ  ６０４及びＵＥは、通信チャネルを含む定義された周波数及び時間領域上で伝送されるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを利用して通信する。通信チャネルの周波数は、バンド及びサブバンドと、リソース要素（ＲＥ：ｒｅｓｏｕｒｃｅ  ｅｌｅｍｅｎｔ）と称される１つの時間期間のための個別キャリア周波数（またはキャリア周波数のセット）に分割される。ＵＥの制御システムは、互いに異なるバンドまたはサブバンド上のｅＮＢ  ６０４からの無線信号の品質を測定し、ワイドバンド（サブバンドのグループ）またはサブバンドを基礎でｅＮＢ  ６０４にフィードバックのために多様な知られたチャネル情報を生成するように構成される。
【００３９】
図６ｂは、それぞれがカバレージ領域６１２を有する１つのｅＮＢ  ６０４と複数の高伝送電力ＲＲＨ  ６１４を有する同種の無線通信ネットワーク６１０を示す。ＲＲＨ  ６１４それぞれは、制御システム、メモリ、及び伝送／受信ザブシステムを含むｅＮＢ  ６０４と類似の構造を有する。ＲＲＨ  ６１４は、光ファイバ６１６によってｅＮＢ  ６０４と連結される。  図６ｃは、それぞれが全方向のアンテナとカバレージ領域６２２を有する、複数の低伝送電力ＲＲＨ  ６２４及びカバレージ領域６２０を有する１つのｅＮＢ  ６０４を含む無線通信ネットワーク６２０を示す。ＲＲＨ  ６１４のように、ＲＲＨ  ６２４それぞれは、制御システム、メモリ、及び伝送／受信ザブシステムを含むｅＮＢ  ６０４と類似の構造を有する。ＲＲＨ  ６２４は、光ファイバ６１６によってｅＮＢ  ６０４と連結される。
【００４０】
図６ａ〜図６ｃに示すすべての３個の無線通信ネットワークのうち図６ａを代表的に利用すれば、１つのカバレージ領域６０２ａに位置するＵＥは、隣接するカバレージ領域６０２ｂ内に位置する他のｅＮＢ  ６０４ｂからそしてカバー地理領域内のｅＮＢ  ６０４ａから無線信号を受信することができる。２個のｅＮＢ  ６０４ａ、６０５ｂからのこれら無線信号は、データ再伝送要求によって無線通信の効率を減少させて、時々相互間に干渉になることができる。ｅＮＢ  ６０４によるＣｏＭＰ伝送は、他のもののうち、そのような干渉の発生程度を減少させて、通信効率を増加させる。図６ａでカバレージ領域６０４ａは、本文献の論議で関心である“協同領域（ｃｏｏｒｄｉｎａｔｉｏｎ  ａｒｅａ）”である。
【００４１】
前述した背景に説明された互いに異なるＣｏＭＰ伝送スキームとともに、ネットワークは、スケジューリングを最適化するためにＵＥによって支援されるチャネル品質指示子（ＣＱＩ：ｃｈａｎｎｅｌ  ｑｕａｌｉｔｙ  ｉｎｄｉｃａｔｏｒ）、プレコーディングマトリックス指示子（ＰＭＩ：ｐｒｅｃｏｄｉｎｇ  ｍａｔｒｉｘ  ｉｎｄｉｃａｔｏｒ）及びランク指示子（ＲＩ：ｒａｎｋ  ｉｎｄｉｃａｔｏｒ）を知ることが必要である。フィードバック定義及び測定は、ＬＴＥリリース８〜リリース１０に対して単一セル伝送のために定義される。個別ＣｏＭＰスキーム性能は、また、ＣｏＭＰスキームで使用されるＴＰ；１つ以上の伝送ＴＰのそれぞれに適用されるプレコーディング；ブランキングまたは伝送しないＴＰ；及び個別ＣＱＩの測定のために構成され得る干渉測定リソース；のような他のパラメータによって特徴され得る。
【００４２】
ＣＳＩレファレンス信号（ＲＳ：ｒｅｆｅｒｅｎｃｅ  ｓｉｇｎａｌ）は、ＵＥによるチャネル測定を可能にする。ＵＥ特定ＣＳＩ−ＲＳ構成は、１）非−ゼロ電力ＣＳＩ−ＲＳリソース；及び２）１つ以上のゼロ電力ＣＳＩ−ＲＳリソースを含む。典型的に、非−ゼロ電力ＣＳＩ−ＲＳリソースは、サービングセルのアンテナ要素／ポートに対応する。一般的にｍｕｔｅｄＣＳＩ−ＲＳと称されるゼロパワーＣＳＩ−ＲＳは、他のセルのＣＳＩ−ＲＳリソースを保護するために使用される。そして、ＵＥは、これらリソースとレートマッチング（デコーディング／復調のためにスキップ）をする。ＣＳＩ−ＲＳの追加的な構成詳細事項は、３ＧＰＰ  ＴＳ  ３６．２１１、特にセクション６．１０．５及び７．２．５．に特定される。
【００４３】
ＣｏＭＰ伝送を支援するために、ネットワークは、多重伝送ポイントまたはセルに対応するフィードバックを必要とする。その結果、ネットワークは、それぞれＴＰまたはＣＳＩプロセスに典型的に対応する多重ＣＳＩ−ＲＳリソースを設定することができる。異なるように言及されない限り、“ＣＳＩリソース”、“ＴＰ”及び“ＣＳＩプロセス”という用語は、相互交換的に使用され得る。ＣＳＩ−ＲＳリソース構成に対する追加詳細事項及び各ＣＳＩ−ＲＳリソースのための構成可能パラメータは、多重非−ゼロ電力ＣＳＩ−ＲＳリソースの構成がスクランブリング初期化を誘導するためにＡｎｔｅｎｎａＰｏｒｔｓＣｏｕｎｔ、ＲｅｓｏｕｒｃｅＣｏｎｆｉｇ、ＳｕｂｆｒａｍｅＣｏｎｆｉｇ、Ｐｃ、及びパラメータＸを少なくとも具備することを含むことができる。
【００４４】
【数１】
0006400001.tif 000002
【００４５】
Ｘは、０〜５０３の範囲を有し、仮想セル識別子に翻訳され得る。リリース１０で、Ｘは、サービングセルのＰＣＩになる。これらパラメータは、ＣＳＩ−ＲＳリソース別に構成される。一部のパラメータは、１つのＣＳＩ−ＲＳリソースで多重ＴＰに対応する結合ＣＳＩフィードバックによるコヒラント（ｃｏｈｅｒｅｎｔ）共同伝送を支援する決定を考慮するＣＳＩ−ＲＳポート別に構成され得る。ＣＳＩ−ＲＳリソースが個別ＴＰのチャネルをキャプチャするとき、干渉測定は、また、ＣｏＭＰスキームによる。リリース８−１０で、セル特定レファレンス信号（ＣＲＳ：ｃｅｌｌ−ｓｐｅｃｉｆｉｃ  ｒｅｆｅｒｅｎｃｅ  ｓｉｇｎａｌ）自体である単一干渉測定リソースが使用される。ＣＲＳ上で干渉測定は、セルの外部のすべての干渉をキャプチャする。
【００４６】
ＣｏＭＰのために、１つ以上の干渉測定リソースは、仮想のＣｏＭＰスキームに対する干渉を捕捉するように定義され得る。少なくとも１つの干渉測定リソース（ＩＭＲ：Ｉｎｔｅｒｆｅｒｅｎｃｅ  Ｍｅａｓｕｒｅｍｅｎｔ  Ｒｅｓｏｕｒｃｅ）（またＣＳＩ−干渉測定リソースまたはＣＳＩ−ＩＭ（ＣＳＩ−ｉｎｔｅｒｆｅｒｅｎｃｅ  ｍｅａｓｕｒｅｍｅｎｔ）リソースと称される）は、リリース１１ＵＥのために構成され得る。ただ１つ以上のＩＭＲの最大値は、リリース１１ＵＥのために構成され得る。各ＩＭＲは、リリース１０ＣＳＩ−ＲＳリソースで構成され得る、ただＲＥで構成され得る。
【００４７】
ＣｏＭＰの支援のために、新しいＣＳＩ−ＲＳ構成は、本発明の多様な実施例によって本文献で説明されるような上位階層によって定義され、シグナリングされる。リリース１０、より詳細に、３ＧＰＰ  ＴＳ  ３６．３３１で、ＣＳＩ−ＲＳ構成は、次のようにシグナリングされる。ここで、単一非−ゼロ電力ＣＳＩ−ＲＳ及びそのパラメータが現われ、一方、多重ゼロ電力ＣＳＩ−ＲＳ構成は、ビットマップを利用して現われる。
【００４８】
ＣｏＭＰのために支援される１つ以上の干渉測定リソースとともに、ＣＳＩ測定は、ＣＳＩ−ＲＳリソース及びＩＭＲまたはＣＳＩ−ＩＭリソース両方に基づく。結果的に、本発明の実施例は、フィードバックのためにＣＳＩ構成を定義する。
【００４９】
多様な実施例において、ＵＥが多重ＩＭＲリソースで構成されれば、それぞれが関連したペア（ＣＳＩ−ＲＳリソースインデックス、ＩＭＲリソースインデックス）を有する、下記の表１に示されたように定義され得る。各ＣＳＩ構成は、個別ＴＰまたはＣＳＩプロセスのためのものになることができる。
【００５０】
【表１】
0006400001.tif 000003
【００５１】
一部の実施例において、ＩＭＲリソースインデックスは、４伝送ＣＳＩ−ＲＳパターン（例えば、表３６．２１１の６．１０．５．２−１から４ＣＳＩ−ＲＳコラムのような）に基づくリリース１０で制御電力ＣＳＩ−ＲＳのために使用される現在定義された１６ＣＳＩ−ＲＳリソース構成のうち１つに基づく。例示的なインストラクション（複数のインストラクション）は、次の通りである。
ASN1START
CSI-Config-r11 ::= SEQUENCE {
csi-RS-r11 CHOICE {
release NULL,
setup SEQUENCE {
antennaPortsCount-r11 ENUMERATED {an1, an2, an4, an8},
resourceConfig-r11 INTEGER (0..31),
subframeConfig-r11 INTEGER (0..154),
p-C-r11 INTEGER (-8..15)
IMR-resourceConfigr-r11 INTEGER (0..15)
IMRSubframeConfig-r11 INTEGER (0..154)
}
} OPTIONAL, -- Need ON
}
ASN1STOP 
【００５２】
他の実施例において、アンテナポートカウントは、任意の１または２、４、８伝送パターンの構成を許容するように追加的に現われる。例示的なインストラクション（複数のインストラクション）は、次のようになることができる。
ASN1START
CSI-Config-r11 ::= SEQUENCE {
csi-RS-r11 CHOICE {
release NULL,
setup SEQUENCE {
antennaPortsCount-r11 ENUMERATED {an1, an2, an4, an8},
resourceConfig-r11 INTEGER (0..31),
subframeConfig-r11 INTEGER (0..154),
p-C-r11 INTEGER (-8..15)
IMR-antennaPortsCount-r11 ENUMERATED {an1, an2, an4, an8}
IMR-resourceConfigr-r11 INTEGER (0..15)
IMRSubframeConfig-r11 INTEGER (0..154)
}
} OPTIONAL, -- Need ON
}
ASN1STOP
【００５３】
他の実施例において、アンテナポートカウントを指示すること代わりに、アンテナポートカウントは、任意の１または２、４、８伝送パターンの構成が結合ビットフィールド、すなわち、単一ビットフィールドを利用して３２（１または２Ｔｘ）＋１６（４Ｔｘ）＋８（８Ｔｘ）＝５６パターン全体を示すように許容することができる。例示的なインストラクション（複数のインストラクション）は、次のようになることができる。
ASN1START
CSI-Config-r11 ::= SEQUENCE {
csi-RS-r11 CHOICE {
release NULL,
setup SEQUENCE {
antennaPortsCount-r11 ENUMERATED {an1, an2, an4, an8},
resourceConfig-r11 INTEGER (0..31),
subframeConfig-r11 INTEGER (0..154),
p-C-r10 INTEGER (-8..15)
IMR-resourceConfigr-r11 INTEGER (0..56)
IMRSubframeConfig-r11 INTEGER (0..154)
}
} OPTIONAL, -- Need ON
}
-- ASN1STOP 
そのような多重ＣＳＩ構成は、ＣＳＩフィードバック目的にＵＥに対して定義され得る。
【００５４】
任意の実施例において、単一ＩＭＲリソースが構成され得る。一方、多重ＣＳＩ−ＲＳリソースが個別的に構成されてもよい。この場合において、各ＣＳＩ−ＲＳ構成は、下記のシュド−コードセグメントによって示されたような少なくとも共通ＩＭＲリソース及び関連したＣＳＩ−ＲＳリソースによって定義され得る。
IMR-CSI-RS-r11 CHOICE {
release NULL,
setup SEQUENCE {
IMRResourceConfig-r11 INTEGER (0..15)
IMRSubframeConfig-r11 INTEGER (0..154)
}
}
【００５５】
構成（１、２、４、８Ｔｘ）パターンの全体セットは、下記の２個のシュドコードセグメントに示されたようなａｎｔｅｎｎａｐｏｒｔｓｃｏｕｎｔパラメータまたは結合ＩＭＲｒｅｓｏｕｒｃｅｃｏｎｆｉｇパラメータを利用することができる。
IMR-CSI-RS-r11 CHOICE {
release NULL,
setup SEQUENCE {
IMR-antennaPortsCount-r11 ENUMERATED {an1, an2, an4, an8},
IMRResourceConfig-r11 INTEGER (0..15)
IMRSubframeConfig-r11 INTEGER (0..154)
}
}
IMR-CSI-RS-r11 CHOICE {
release NULL,
setup SEQUENCE {
IMRResourceConfig-r11 INTEGER (0..56)
IMRSubframeConfig-r11 INTEGER (0..154)
}
}
【００５６】
任意の実施例において、１つ以上のＩＭＲリソースは、前述した定義を利用して構成され得る。一部の実施例において、ＩＭＲリソースのリストは、“ＩＭＲ−ｒｅｓｏｕｒｃｅＣｏｎｆｉｇｒ−ｒ１１  ＩＮＴＥＧＥＲ（０．。Ｘ）”を“ＩＭＲ−ｒｅｓｏｕｒｃｅＣｏｎｆｉｇｒ−ｒ１１  ＢＩＴ  ＳＴＲＩＮＧ（ＳＩＺＥ（１６））への交替を利用する単一フィールドを利用して設定され得る。
【００５７】
任意の実施例において、干渉測定推定は、少なくとも１つのＩＭＲリソース及び少なくとも１つの非−ゼロ電力ＣＳＩ−ＲＳリソースを基盤とすることができる。このような場合、ＵＥは、対応するＲＥの受信信号電力コントリビューション（ｃｏｎｔｒｉｂｕｔｉｏｎ）の合算または平均によってＩＭＲリソース上で干渉が測定される。非−ゼロ電力ＣＳＩ−ＲＳリソースから干渉測定コンポネントを誘導するために、ＵＥは、チャネル推定を行い、非−ゼロ電力ＣＳＩ−ＲＳリソースに対応するＣＳＩ−ＲＳポートの電力の合算または平均に基づいて干渉電力を誘導する。
【００５８】
下記の表２は、前述した例で構成されたようなＩＭＲリソースＹを有する例を示す。そのようなＣＳＩ構成は、周期的なそして非周期的なフィードバックモードのために他に構成され得る。
【００５９】
【表２】
0006400001.tif 000004
【００６０】
使用される非−ゼロ電力ＣＳＩ−ＲＳ（Ｚ１、Ｚ２）リソースは、ＵＥによって前述した表２と同じように、明示的に構成されるか、または、フィードバックモードに基づいて暗黙的に知られることができる。暗黙的な構成の一例において、干渉測定に利用される非−ゼロ電力ＣＳＩ−ＲＳリソース（構成１のためのＺ１）は、そのＵＥのために構成される非−ゼロ電力ＣＳＩ−ＲＳの一部または全部を含むことができる。他の例において、ＣＳＩ構成のために干渉測定に使用される非−ゼロパワーＣＳＩ−ＲＳリソースは、暗黙的に対応するＣＳＩ−ＲＳリソースインデックス（構成１のためのＸ１）に基づく。そのような方法の例は、干渉測定のために使用される非−ゼロ電力ＣＳＩ−ＲＳリソース（Ｚ１）がＸ１を除いたＵＥのためのすべての構成されたＣＳＩ−ＲＳリソースである。他の例において、干渉測定のために使用される非−ゼロ電力ＣＳＩ−ＲＳリソース（Ｚ１）は、ＵＥ（すなわち、Ｘ１、Ｘ２）のためのＣＳＩ構成に対応するものを除いたＵＥのために構成されるすべてのＣＳＩ−ＲＳリソースである。例えば、（Ｘ１、Ｘ２）は、レポーティングセットとして考慮され得る。一方、Ｘ１は、ＣＳＩ目的のための伝送セットとして考慮され得る。
【００６１】
多様な実施例において、ＰＤＳＣＨは、構成されたＩＭＲリソースに対応するＲＥにマッピングされない。ＲＥに対するＰＤＳＣＨマッピングのための規則は、セクション６．３．５  ｏｆ  ３６．２１１でその概要が説明される。
【００６２】
本発明の任意の実施例は、物理チャネルの伝送のために使用されるアンテナポートのそれぞれのために、複素値シンボル
【００６３】
【数２】
0006400001.tif 000005
【００６４】
のブロックは、セクション５．２で特定された下向きリンク電力割り当てに従い、ＲＥ（k，l）に対してy(p)(O)から始まるシーケンスにマッピングされ、これは、他の基準のうち、ＩＭＲレファレンス信号の伝送のために使用せず、下向きリンク伝送と関連したＤＣＩは、Ｃ−ＲＮＴＩまたは半永久的Ｃ−ＲＮＴを使用し、そして、サブフレームの第１スロットでインデックスｌは、l≧lDataStartに従う。ここで、lDataStartは、参照４のセクション７．１．６．４によって与えられる。
【００６５】
ＣＳＩ及びＩＭＲ（またはＣＳＩ−ＩＭリソース）構成に追加に、本発明の実施例は、また、ＣＱＩ定義を提供する。一実施例において、ＣＱＩ定義は、次のように修正される。ＣＳＩＲＳで、ＵＥは、ＣＱＩインデックス、そしてもし構成されれば、ＰＭＩ及びＲＩを誘導するために次のように仮定する：初めて３ＯＦＤＭシンボルは、制御シグナリングで収容される；主または副同期信号またはＰＢＣＨによって使用されるどんなＲＥもない；非（ｎｏｎ）−ＭＢＳＦＮサブフレームのＣＰ長さ；リダンダンシーバージョン０；もし、ＣＳＩ−ＲＳがチャネル測定のために使用されれば、ＣＳＩ−ＲＳ  ＥＰＲＥに対するＰＤＳＣＨ  ＥＰＲＥの比率は、３ＧＰＰ  ＴＳ  ３６．２１３のセクション７．２．５に与えられた通りである。追加に、ＬＴＥ、ＣＳＩレポーティングに対するＣｏＭＰ支援を可能に定義される新しい伝送モードである、伝送モードｘのために、ＣＲＳＲＥは、非（ｎｏｎ）−ＭＢＳＦＮサブフレームと同じである；そして、もし、ＵＥがＰＭＩ／ＲＩレポーティングのために構成されれば、ＵＥ特定ＲＳオーバーヘッドは、最も最近報告されたランクと一貫的に維持される；そして、ｖ階層のためのアンテナポート｛７．．．６＋ｖ｝上のＰＤＳＣＨ信号は、次のように与えられる、ＣＳＩ−ＲＳリソースのアンテナポート｛｝上で伝送される対応するシンボルと同値である信号を発生させる。
【００６６】
【数３】
0006400001.tif 000006
【００６７】
アンテナポート｛a1…aP｝上で伝送される対応するＰＤＳＣＨ信号は、３ＧＰＰ  ＴＳ  ３６．２１３のセクション７．２．５に与えられた比率と同一のＣＳＩ−ＲＳ  ＥＰＲＥに対するＥＰＲＥの比率を有する。干渉測定に基づくＩＭＲがＵＥのために構成されれば、推定された干渉は（すなわち、ＣＳＩ要請または上位階層構成と関連した）ＣＱＩ測定のために構成された１つ以上の非−ゼロ電力ＣＳＩ−ＲＳリソース及びＩＭＲリソース上で観測された干渉の和であり、ここで、個別コントリビューションは、次のように得られる：非−ゼロ電力ＣＳＩ−ＲＳリソースに基づく干渉測定のために、干渉は、ＣＳＩ−ＲＳリソースのＣＳＩ−ＲＳアンテナポートに対応するＲＳに対する［平均］受信電力に基づく；そして、ＩＭＲリソースに基づく干渉測定のために、干渉測定は、ＩＭＲリソースに対応するＲＥ上で観測された全体電力（または平均電力）である。さらに、ＣＳＩＲＳで、ＵＥは、ＣＱＩインデックスそしてもし構成されれば、ＰＭＩ及びＲＩを誘導するために次のように仮定する：ＣＳＩ−ＲＳ及びゼロ電力ＣＳＩ−ＲＳ及びＩＭＲリソースのために割り当てられたＲＥはない；どんなＰＲＳのために割り当てられたＲＥもない；そして、３ＧＰＰ  ＴＳ  ３６．２１３の表７．２．３−０によって与えられたＰＤＳＣＨ伝送スキームは、ＵＥのために現在構成された伝送モード（これは、デフォルトモードになることができる）による。
【００６８】
任意の実施例において、干渉測定は、ＩＭＲリソースが上位階層によって構成されるときにのみ行われる。このような場合、ＣＱＩ定義で干渉測定のための条件は、少なくとも１つのＩＭＲリソースがＵＥのための上位階層によって構成されるもののように修正され得る。
【００６９】
任意の実施例において、周期的なフィードバックモードまたは非周期的なＣＳＩ要請の一部に要請されるＣＱＩに対応するＣＳＩ構成が構成されたＩＭＲリソースを有する場合、干渉測定は、少なくとも１つのＩＭＲリソースが周期的なＣＳＩ構成または非周期的なＣＳＩ要請の一部で構成されるか否かの条件によって定義され得る。
【００７０】
非−ゼロ電力ＣＳＩ−ＲＳリソースに基づく干渉測定が支援されなければ、ＣＱＩ定義でテキストは、ＩＭＲ基盤干渉測定がＵＥのために構成されるもののように修正され得、推定された干渉は、ＩＭＲリソースに基づく。ここで、干渉は、ＩＭＲリソースに対応するＲＥ上で観測される全体電力（または平均電力）である。先立って概要が説明された同一のまたは類似の修正がＩＭＲ基盤干渉推定をトリガーするための条件に対してこの場合と同様に適用され得る。
【００７１】
多重ＣＳＩ及び／またはＩＭＲ構成のための前述した定義によって、本発明の実施例は、ＰＵＣＣＨに基づく周期的なフィードバックモードを提供する。周期的なフィードバックモードは、ＰＵＣＣＨチャネル上で上向きリンク制御情報の半永久的構成に基づく。これらフィードバックモードは、任意の周期性及びオフセットを有するように構成される。支援されるフィードバックモード、個別レポート形式及びタイミング構成（周期性、オフセット）は、３ＧＰＰ  ＴＳ  ３６．２１３表７．２．２−１に要約されている。追加に、明らかな周期及びオフセットを有する多様なＣＱＩ／ＰＭＩ及びＲＩレポーティング形式が３ＧＰＰ  ＴＳ  ３６．２１３表７．２．２−３に与えられたようなＰＵＣＣＨＣＳＩレポーティングモードのために支援される。
【００７２】
各サービングセルのために、ＣＱＩ／ＰＭＩレポーティングのための周期的なNpd（サブフレームで）及びオフセットNOFFSET,CQI（サブフレームで）は、時間分割二重化（ＴＤＤ：ｔｉｍｅ  ｄｉｖｉｓｉｏｎ  ｄｕｐｌｅｘ）のための３ＧＰＰ  ＴＳ  ３６．２１３表７．２．２−１Ｃ及び周波数分割二重化（ＦＤＤ：ｆｒｅｑｕｅｎｃｙ  ｄｉｖｉｓｉｏｎ  ｄｕｐｌｅｘ）のための３ＧＰＰ  ＴＳ  ３６．２１３表７．２．２−１Ａに与えられたパラメータｃｑｉ−ｐｍｉ−ＣｏｎｆｉｇＩｎｄｅｘ（ICQI/PMI Ｉ）に基づいて決定される。ＲＩレポーティングのために周期的なMRI及び関連したオフセットNOFFSET,RI は、３ＧＰＰ  ＴＳ  ３６．２１３表７．２．２−１Ｂに与えられたパラメータｒｉ−ＣｏｎｆｉｇＩｎｄｅｘ（IRI）に基づいて決定される。ｃｑｉ−ｐｍｉ−ＣｏｎｆｉｇＩｎｄｅｘ及びｒｉ−ＣｏｎｆｉｇＩｎｄｅｘ両方は、上位階層シグナリングによって構成される。ＲＩ NOFFSET,RIのための関連したレポーティングオフセットは、セット{0,-1,…,-(Npd-1)}から値が取られる。ＵＥが１つ以上のＣＳＩサブフレームセットのためにレポーティングすれば、パラメータｃｑｉ−ｐｍｉ−ＣｏｎｆｉｇＩｎｄｅｘ及びｒｉ−ＣｏｎｆｉｇＩｎｄｅｘそれぞれは、サブフレームセット１のための関連したレポーティングオフセットそしてＣＱＩ／ＰＭＩ及びＲＩ周期に対応し、ｃｑｉ−ｐｍｉ−ＣｏｎｆｉｇＩｎｄｅｘ２及びｒｉ−ＣｏｎｆｉｇＩｎｄｅｘ２それぞれは、サブフレームセット２のための関連したレポーティングオフセットそしてＣＱＩ／ＰＭＩ及びＲＩ周期のに対応する。
【００７３】
例として、ワイドバンドＣＱＩ／ＰＭＩレポーティングタイミングは、構成されたタイミングパラメータに基づいて次のように定義される。類似の定義が異なるレポート形式のために３６．２１３で定義される。ワイドバンドＣＱＩ／ＰＭＩレポーティングが構成される場合において、ワイドバンドＣＱＩ／ＰＭＩのためのレポーティングインスタンスは、次を満足するサブフレームである。
【００７４】
【数４】
0006400001.tif 000007
【００７５】
ＣｏＭＰ伝送を支援するために、本発明の実施例は、１つ以上のＣＳＩ−ＲＳ構成（リソース、ＣＳＩプロセスまたはＴＰ）に対応するフィードバックを設定し、この目的のための新しいフィードバックモードを定義する。本文献に使用されたように、ＣＳＩ構成は、（ＣＳＩ−ＲＳリソース、ＩＭＲリソース）ペアを意味する。しかし、単一ＩＭＲリソースとともに、ＣＳＩ構成は、ＣＳＩ−ＲＳリソースによって単純に交替され得る。
【００７６】
一実施例において、多重ＣＳＩ構成のための独立周期ＰＵＣＣＨが提供される。この実施例において、周期的なフィードバックモードパラメータは、２以上のＣＳＩ構成のために独立的に設定される。この実施例は、例えば、どんなインタＣＳＩ−ＲＳフィードバックが必要ではないとき、適合である。インタＣＳＩ−ＲＳリソースフィードバックは、１つ以上のＣＳＩ−ＲＳリソースの測定に依存するフィードバックである。インタＣＳＩ−ＲＳリソースフィードバックの追加的な例が以下で説明される。
【００７７】
２以上の周期的なレポートが構成されるとき、選択されたタイミングパラメータは、任意のレポートの衝突が起きることができる。そのような衝突は、スケジューラによるパラメータの適切な選択によって時に避けることができることができるが、スケジューリング柔軟性イシューによって常時避けることができるものではない。本発明の実施例は、そのような衝突を処理するための他の方法を提供する。以下に説明される方法及び実施例も、多重コンポネントキャリアのための２以上の周期的なＣＳＩレポーティングが同一のサブフレームでスケジューリングされるとき、多重コンポネントキャリアで構成されたＵＥに適用され得る。
【００７８】
任意の実施例において、レポートのうちただ１つが伝送され、残りのレポートが中断（ｄｒｏｐ）されることができる（すなわち、伝送されない）。このような状況において、中断規則が定義され、これは、ＵＥ及びｅＮＢ両方に対して明確である。任意の実施例において、互いに異なるＣＳＩ−ＲＳリソースのための２個のＰＵＣＣＨレポート間の衝突の場合で、ＵＥは、レポート形式に基づいてフィードバックを中断することができる。任意の実施例において、伝送されるレポートは、レポート形式に基づいて選択される。例えば、ＲＩレポートは、他のＣＱＩ／ＰＭＩレポートよりさらに有用に考慮され得、ワイドバンドＣＱＩ／ＰＭＩレポートは、サブバンドＣＱＩ／ＰＭＩレポートより優先的に処理され得る。そのような場合において、優先順位は、各レポートに対して定義される。例えば、レポーティング形式３、５または６は、レポーティング形式１、１ａ、２、２ａ、２ｂ、２ｃ、または４に先立って上位優先順位を有することができる。したがって、第１ＣＳＩ−ＲＳリソースのためのレポート形式が形式３であり、第２ＣＳＩ−ＲＳリソースのためのレポート形式が形式１なら、第１ＣＳＩ−ＲＳリソースに対応するレポートは伝送されるように優先的に処理される。
【００７９】
任意の実施例において、互いに異なるＣＳＩ−ＲＳリソースのための２個のＰＵＣＣＨレポートの間の衝突の場合で、ＵＥは、ＣＳＩ−ＲＳ伝送に基づくフィードバックを中断することができる。先立って論議されたように、各ＣＳＩ−ＲＳリソースは、対応するＣＳＩ−ＲＳが伝送されるとき、周期及びタイミングオフセットによってパラメータ化された固有なサブフレーム構成を有する。１つの方法において、互いに異なるＣＳＩ−ＲＳリソースに対応するレポートは、対応するリソースの速いＣＳＩ−ＲＳ伝送を有するタイミング関係に基づいて優先的に処理される。他の方法において、最も最近ＣＳＩ−ＲＳを伝送したＣＳＩ−ＲＳリソースに対応するレポートが優先的に処理される。これは、対応するＣＳＩが（ＣＳＩの時間変化を考慮すれば）さらに有用だからである。
【００８０】
任意の実施例において、互いに異なるＣＳＩ−ＲＳリソースのために２個のＰＵＣＣＨレポートの間の衝突の場合において、ＵＥは、最適の性能を有するＣＳＩ−ＲＳに基づくフィードバックを中断することができる。一実施例において、ＣＳＩ−ＲＳリソースに対応するレポートは、ＣＳＩ−ＲＳリソースに対して貢献する性能を基盤として優先的に処理される。１つの方法において、優先順位は、ＣＱＩ（ワイドバンドまたはサブバンド）に基礎することができる。ネットワークは、現在ＣＱＩを認識することができないので、１つの方法において、選択されたＣＳＩ−ＲＳリソースのインデックスがレポートされる。他の方法において、追加レポーティングを避けるために、優先順位は、各レポートのうち最も最近レポートされたワイドバンドＣＱＩに基礎することができる。他の方法において、他のフィードバックパラメータも、性能マトリックスのようにＲＩのように使用され得る。他の方法において、レポーティングのためのＣＳＩ−ＲＳの選択がＲＳＲＰ形式マトリックスがＣＳＩ−ＲＳ構成と関連することができれば、対応するＲＳＲＰまたはＲＳＲＱに基礎することができる。そのようなＲＳＲＰは、ＵＥによって個別的に報告され得、ｅＮＢに知られる。任意の実施例において、互いに異なるＣＳＩ−ＲＳリソースのための２ＰＵＣＣＨレポートの間の衝突の場合において、ＵＥは、ＣＳＩ−ＲＳリソースインデックスに基礎するフィードバックを中断する。１つの方法において、ＣＳＩ−ＲＳリソースに対応するレポートの優先順位は、単純にＣＳＩ−ＲＳリソースインデックスに基礎することができる。多重ＣＳＩ−ＲＳリソースは、ＲＲＣ（上位階層）シグナリングによって構成され、かくして、ＣＳＩ−ＲＳリソースのそれぞれに対して（シグナリングドエン手順からの）インデックスと暗黙的に連関される。これは、ネットワークがネットワーク構成によってＣＳＩ−ＲＳリソースをまず処理するようにする。そのような優先順位／インデクシングは、対応するＣＳＩ−ＲＳリソースのためにネットワークによって測定された信号強度及び／またはスケジューリング側面によって影響を受けることができる。
【００８１】
任意の実施例において、互いに異なるＣＳＩ−ＲＳリソースのための２ＰＵＣＣＨレポートの間の衝突の場合に、ＵＥは、レポーティングモードパラメータに基づくフィードバックを中断する。１つの方法において、レポートの優先順位は、周期及びオフセット（Ｎｐｄ、Ｎｏｆｆｓｅｔ）のようなフィードバックモード設定パラメータに基礎する。
【００８２】
任意の実施例において、２以上のＣＳＩ−ＲＳ対応する多重ＣＳＩレポートが衝突するとき、すべてのＣＳＩレポートは、多重化されて一緒に伝送される。他の試みが多重化のために使用され得る。例えば、レポートは、ＰＵＣＣＨフォーマット３に基づいて多重化され得る。個別レポートが異なるＰＵＣＣＨフォーマットに基づいて伝送されても、衝突のイベントで、多重レポートが２２ビットより同じかまたは小さいビットを支援することができる、上位容量ＰＵＣＣＨチャネルフォーマット３を利用して、単一レポートに多重化される。１つの方法において、３個以上のレポートが衝突するとき、レポートのうち２個が多重化され、残りのレポートは中断される。多重化されたレポート及び中断されたレポートを選択するための優先順位は、先立って論議された１つ以上の中断規則に従うことができる。他の方法において、多重化されたレポートの数は、それらがＰＵＣＣＨフォーマット３のフォーマットサイズによって支援され得るものである。例えば、３ＲＩレポート（それぞれ≦３ビット）は、単一ＰＵＣＣＨフォーマット３レポートに収容され得る。１つの方法において、ＰＵＣＣＨフォーマット３を利用して多重化するかあるいは（１つを除いた）レポートをドロップするか否かは、ＵＥに対するリンク状態に基礎する。１つの方法において、ＰＵＣＣＨフォーマット３を利用して多重化するかあるいは（１つを除いた）レポートをドロップするか否かは、上位階層によって構成され得る。
【００８３】
他の実施例において、レポートが多重化されるか否かは、上向きリンク共有チャネル（ＰＵＳＣＨ：ｐｈｙｓｉｃａｌ  ｕｐｌｉｎｋ  ｓｈａｒｅｄ  ｃｈａｎｎｅｌ）に対して条件化され得る。ネットワークは、衝突のイベントで動作を制御することができる。１つの方法において、ＰＵＳＣＨリソースは、そのサブフレームで上向きリンク制御情報（ＵＣＩ：ｕｐｌｉｎｋ  ｃｏｎｔｒｏｌ  ｉｎｆｏｒｍａｔｉｏｎ）（またはＳＣＩ）上で伝送のためのＵＥに対してスケジューリングされ得る。そのようなＰＵＳＣＨリソースのための上向きリンクグラントが検出されれば、ＵＥは、（ＰＵＣＣＨより高い容量を有する）ＰＵＳＣＨ上に多重化されたレポートを伝送する。ＰＵＳＣＨリソースのためのグラントが検出されなければ、ＵＥは、例えば、先立って論議された中断規則に従って、１つ以上のレポートを単純に中断する。より一般的に、多重化／中断動作は、ＰＵＳＣＨリソースのサイズ及び構成に基礎することができる（例えば、２または３レポートはＰＵＳＣＨリソースサイズ及び／または構成に基づいて多重化され得る）。
【００８４】
ネットワークが衝突インスタンスを認識することができるので、ネットワークは、またＰＵＳＣＨリソースを半永久的に構成することができる。そのような例で、ＰＵＳＣＨリソースが衝突イベントを有するサブフレームで構成されれば、レポートの多重化が使用され得る。そうではなければ、例えば、先立って論議されたような中断規則に従って、ＣＳＩ中断が使用され得る。もし、そのような構成されたＰＵＳＣＨリソースのための上向きリンクグラントがＣＳＩ要請フィールドのための非−ゼロ値を有すれば、ＣＳＩ要請によって構成されたような周期的なＣＳＩレポートが伝送され、周期的なＣＳＩが中断される。そのような構成されたＰＵＳＣＨリソースのための上向きリンクグラントがＣＳＩ要請フィールドに対して０値を有し、２以上のＣＳＩレポートの衝突イベントにあれば、周期的なＣＳＩレポートが先立って論議されたように、ＣＳＩレポートを多重化して伝送される。１つの方法において、ＰＵＣＣＨ及びＰＵＳＣＨの同時伝送が構成されても、周期的なＣＳＩレポートの場合において、ＣＳＩ及びデータ両方がＰＵＳＣＨ上で多重化される。一部の場合において、ＡＣＫ／ＮＡＣＫフィードバックのような、上向きリンク上で他の制御情報はＣＳＩと衝突され得る。この場合において、中断及び多重化規則はそのようなイベントによって追加に修正され得る。１つの方法において、ＵＥが同時にＰＵＣＣＨ／ＰＵＳＣＨ伝送するように構成され、周期ＰＵＣＣＨＣＳＩレポートの衝突のイベントがあれば、ＣＳＩは、スケジューリングされたＰＵＳＣＨリソース上で伝送され、ＡＣＫ／ＮＡＣＫはＡＣＫ／ＮＡＣＫのために構成されたＰＵＣＣＨリソース上で伝送される（例えば、ＰＵＣＣＨフォーマット１ａ／１ｂ／３）。ＵＥが同時にＰＵＣＣＨ／ＰＵＳＣＨ伝送するように構成されず、周期的なＰＵＣＣＨＣＳＩレポートの衝突のイベントがあれば、ＣＳＩ及びＡＣＫ／ＮＡＣＫはスケジューリングされたＰＵＳＣＨ上で伝送される。
【００８５】
他の実施例において、レポートを多重化するか否かは、半永久的に構成されるＰＵＣＣＨフォーマット３に基礎する。１つの方法において、ネットワークは、ネットワークが衝突インスタンスを知ることができるので、ＰＵＣＣＨフォーマット３リソースを半永久的に構成する。そのように構成されたＰＵＣＣＨフォーマット３リソースを利用することができれば、ＵＥは、構成されたＰＵＣＣＨフォーマット３でＣＳＩを多重化するか、または前述した中断規則に従ってＣＳＩを中断する。
【００８６】
一部の場合において、ＡＣＫ／ＮＡＣＫフィードバックのような上向きリンク上での他の制御情報は、ＣＳＩと衝突することができる。このような場合において、中断及び多重化規則がそのようなイベントによって追加に修正され得る。１つの方法において、ＡＣＫ／ＮＡＣＫ（またはＳＲ）がＣＳＩと衝突すれば、１つ以上のＣＳＩは、ＡＣＫ／ＮＡＣＫに対する構成されるＰＵＣＣＨ  Ｆｏｒｍａｔ  ３を利用してＡＣＫ／ＮＡＣＫと多重化され得る。他の方法において、ＡＣＫ／ＮＡＣＫ（またはＳＲ）がＣＳＩと衝突すれば、１つ以上のＣＳＩがＣＳＩのために構成されるＰＵＣＣＨフォーマット３を利用してＡＣＫ／ＮＡＣＫと多重化され得る。この動作は、ｓｉｍｕｌｔａｎｅｏｕｓＡｃｋＮａｃｋＡｎｄＣＱＩの上位階層構成値による。例えば、ＡＣＫ／ＮＡＣＫ及びＣＳＩは、ｓｉｍｕｌｔａｎｅｏｕｓＡｃｋＮａｃｋＡｎｄＣＱＩ＝＝ＴＲＵＥなら、多重化され得る。一方、ｓｉｍｕｌｔａｎｅｏｕｓＡｃｋＮａｃｋＡｎｄＣＱＩ＝ＦＡＬＳＥなら、ＣＱＩを中断させるとともに、ＡＣＫ／ＮＡＣＫのために構成されたＰＵＣＣＨフォーマット３上でただＡＣＫ／ＮＡＣＫが伝送される。他の方法において、ＵＥが同時にＰＵＣＣＨ／ＰＵＳＣＨ伝送するように構成され、ＰＵＳＣＨがスケジューリングされたサブフレームで周期的なＰＵＣＣＨＣＳＩレポートの衝突イベントがあれば、ＣＳＩは、スケジューリングされたＰＵＳＣＨリソース上で伝送され、ＡＣＫ／ＮＡＣＫは、ＡＣＫ／ＮＡＣＫのために構成されたＰＵＣＣＨリソース上で伝送される。ＵＥが同時にＰＵＣＣＨ／ＰＵＳＣＨ伝送するように構成されず、ＰＵＳＣＨがスケジューリングされたサブフレームで周期的なＰＵＣＣＨＣＳＩレポートの衝突イベントがあれば、ＣＳＩ及びＡＣＫ／ＮＡＣＫはＰＵＳＣＨリソース上で伝送される。
【００８７】
用語“ＣＳＩ構成”は、少なくとも対応するＣＳＩ−ＲＳリソース及びＩＭＲリソースを示すために使用される。これは、また、干渉部分のために使用され得る非−ゼロ電力ＣＳＩ−ＲＳリソースのような他のパラメータを含むことができる。他の側面で、ＣＳＩレポートは、ＣＳＩ構成及びサービングセルと関連した上向きリンクサブフレームで伝送されるフィードバックレポートであり、レポート形式のうちいずれか１つに属し、ＰＭＩ／ＣＱＩ／ＲＩのようなフィードバック要素を含む。この文献で、これは、また、与えられたサブフレームに衝突するレポートに対応することができる。
【００８８】
同一のサービングセル及び同一のＣＳＩ構成に対応する２個のＣＳＩレポートが衝突すれば、単一ＣＳＩレポートは、同一のサービングセルに対する衝突に対して３６．２１３に定義される次の方法を利用する、形式に基づいて選択される。すなわち、１つのサービングセルのＰＵＣＣＨレポーティング形式３、５または６を有するＣＳＩレポートと、同一のサービングセルのＰＵＣＣＨレポーティング形式１、１ａ、２、２ａ、２ｂ、２ｃまたは４を有するＣＳＩレポートの衝突の場合において、ＰＵＣＣＨレポーティング形式（１、１ａ、２、２ａ、２ｂ、２ｃ、ｏｒ４）を行う後者のＣＳＩレポートは、低い優先順位を有し、中断される。そのような第１段階が適用され、この実施例で説明された衝突規則がそれぞれが固有な（サービングセル、ＣＳＩ構成番）を有する、ＣＳＩレポートの衝突解消に適用されたものと仮定する。下記の実施例において、“ＣＳＩ構成”及び“ＣＳＩレポート”は、与えられた衝突インスタンスで前述した第１段階解消の理解とともに２個の間に一対一にマッピングされるので、便宜によって交換的に使用され得る。
【００８９】
本発明の実施例は、多重ＣＳＩ構成のＣＳＩレポート衝突に対応するＣＳＩパラメータ（例えば、ＰＭＩ／ＲＩ／ＣＱＩ）が例えば、オーバーヘッドを減少させるために圧縮されることを含む。一実施例において、以下で追加に説明されるそのような圧縮は、衝突ＣＳＩレポートのレポート形式が同一の場合にのみ適用され得る。一部の実施例において、２個の衝突するＣＳＩレポートは、１１ビットより小さく圧縮される。圧縮は、次のような互いに異なる接近方式によって行われることができる：１つの接近方式で、対応するパラメータは、共同にまたは差等して相互間にエンコードされる；他の接近方式で、１つ以上のパラメータは、ＣＳＩレポートの間に整列される；または、他の接近方式で、ランク及び／またはＰＭＩは、ＣＳＩレポートの間に同一であることが要求され得る。
【００９０】
ランクが同一であることが要求される１つの場合で、これは、次を基礎でＵＥによって決定され得る。最上位測定ＣＱＩを有するＣＳＩ−ＲＳに対応するランク、最下位（または最上位）測定ランクを有するＣＳＩ−ＲＳレポートに対応するランク、または、２個の周期的なレポートの衝突の場合に適用されるＣＳＩレポーティングのためのネットワークによって明示的に構成され得る制限されたランクがそれである。
【００９１】
一実施例において、衝突するＣＳＩレポートの２ＣＳＩ構成が（他のＩＭＲリソース構成と）同一の関連ＣＳＩ−ＲＳリソースを有すれば、ＰＭＩは、同一であることが要求される。ＰＭＩは、次を基礎にレポートされることが要求される：最も高く（最も低く）測定されたＣＱＩを有するＣＳＩ−ＲＳレポートのＰＭＩ、最も高く（最も低く）測定されたランクを有するＣＳＩ−ＲＳレポートのＰＭＩ、２個の周期的なレポートの衝突の場合に適用されるＣＳＩレポーティングのためにネットワークによって明示的に構成されるＣＳＩ−ＲＳ構成インデックスまたは優先順位、及び２個の周期的なレポートの衝突の場合に適用されるＣＳＩレポーティングのためにネットワークによって明示的に構成される関連したＩＭＲリソースインデックスまたは優先順位がそれである。
【００９２】
一実施例で、多重の周期的なＣＳＩレポートの衝突の場合に、互いに異なるＣＳＩレポートに対応するフィードバックモードが同一であれば、圧縮が適用される。そうではなく、フィードバックモードが異なる中断または多重化なら、圧縮が適用されない。一実施例において、他の処理規則がＣＳＩレポートに対応するＣＳＩ構成に基づいて適用される。一実施例において、次のような規則が採択される：ＣＳＩ構成が同一のＣＳＩ−ＲＳリソースを有するが、他のＩＭＲリソースを有すれば、ＰＭＩが割り当てられ、ランクは、個別的にレポートされる；ＣＳＩ構成が同一のＩＭＲリソースを有するが、他のＣＳＩ−ＲＳリソースを有すれば、ランクが割り当てられるが、ＰＭＩが個別的にレポートされる；そして、ＣＳＩ構成が同一ＩＭＲリソースも有しなく、同一のＣＳＩ−ＲＳリソースも有しなければ、ランク及びＰＭＩ両方が個別的にレポートされる（すなわち、圧縮されない）。
【００９３】
一実施例において、ＣＳＩ構成のための干渉測定は、ＩＭＲリソース及び１つ以上の非−ゼロ電力ＣＳＩ−ＲＳリソース両方を基盤とする。そのような場合に、前述した規則が次のようにさらに使用される：ＣＳＩ構成が同一のＣＳＩ−ＲＳリソースを有するが、他のインターフェース測定構成を有すれば、ＰＩＭが割り当てられ、ランクは、個別的にレポートされる；ＣＳＩ構成が同一のインターフェース測定構成を有するが、他のＣＳＩ−ＲＳリソースを有すれば、ランクが割り当てられ、ＰＭＩは、個別的にレポートされる；そしてＣＳＩ構成が同一のインターフェース測定構成を有しなく、同一のＣＳＩ−ＲＳリソースも有しなければ、ランク及びＰＭＩ両方は、個別的にレポートされる。−−すなわち、干渉測定構成が少なくともＩＭＲリソース（そして選択的な干渉測定のために構成された非−ゼロ電力リソース）で示されるように使用される圧縮はない。
【００９４】
一実施例において、前述した規則それぞれにおいて、前述した３番目の条件が次のように修正される：ＣＳＩ構成が同一の干渉測定構成も有しなく、同一のＣＳＩ−ＲＳリソースも有しなければ、ＣＳＩレポートのうちただ１つ（または２以上の衝突レポートが存在すれば１つのサブセット）がフィードバックされ、他のものは中断される。
【００９５】
本発明の実施例は、衝突ＣＳＩレポートが１つのセル（キャリア）に対応し、少なくとも１つのセルがそれぞれのＣＳＩ構成に対応する、多重ＣＳＩレポートを有する場合を考慮する。これは、ＵＥが異なるキャリアとともに他のＣＳＩ−ＲＳ構成に対応する多重の周期的なフィードバックで構成される場合に発生することができる。キャリア結合（ＣＡ：ｃａｒｒｉｅｒａｇｇｒｅｇａｔｉｏｎ）及びＣｏＭＰでレポートの衝突は、そのような場合になることができる。
下記の表３は、３ＣＳＩレポートの衝突を有する例を示す。
【００９６】
【表３】
0006400001.tif 000008
【００９７】
下記の実施例で、“ＣＳＩ構成”及び“ＣＳＩレポート”は、与えられた衝突インスタンスで、２個の間に一対一マッピングが存在するので、交換可能に使用され得ることに留意しなければならない。
【００９８】
ＣｏＭＰないキャリア結合の形式のための衝突レゾルーション規則及びキャリア結合ないＣｏＭＰは、ＣＡ及びＣｏＭＰでＣＳＩレポートの衝突のために再使用することができるサブ規則に定義される。
【００９９】
第一に、ＣｏＭＰ形式なしにＣＡのための規則がそれぞれが異なるセルに対応する多重レポートが存在する時、衝突を解決するために定義される。ただ１つのＣＳＩ構成がセル当たり構成される。ＣｏＭＰを考慮することは紹介されておらず、リリース−１０ＬＴＥのセクション７．２．２は、次のようにＣｏＭＰ形式ないＣＡのための規則を説明する。ＵＥが１つ以上のサービングセルで構成されれば、ＵＥは、どんな与えられたサブフレームでただ１つのサービングセルのＣＳＩレポートを伝送する。与えられたサブフレームに対して、１つのサービングセルのＰＵＣＣＨレポーティング形式３、５、６、または２ａを有するＣＳＩレポートと他のサービングセルのＰＵＣＣＨレポーティング形式１、１ａ、２、２ｂ、２ｃ、または４を有するＣＳＩレポートの衝突の場合に、ＰＵＣＣＨレポーティング形式（１、１ａ、２、２ｂ、２ｃ、または４）を有する後者のＣＳＩ低い優先順位を有し、中断される。与えられたサブフレームに対して、１つのサービングセルのＰＵＣＣＨレポーティング形式２、２ｂ、２ｃ、または４を有するＣＳＩレポートと他のサービングセルのＰＵＣＣＨレポーティング形式１または１ａを有するＣＳＩレポートの衝突の場合に、ＰＵＣＣＨレポーティング形式１または１ａを有する後者のＣＳＩレポートは、低い優先順位を有し、中断される。
【０１００】
第二に、それぞれが異なるＣＳＩ構成に対応し、すべて単一サービングセル上にある多重レポートが存在するとき、ＣＡないＣｏＭＰのための規則は、衝突を解決するために定義される。同様に、ＣＡないＣｏＭＰを解決するための規則を示すとき、そのような場合に適用するこれからのリリースで定義される新しい規則を示す。一部の拡張例は、前述した実施例で考慮された。
【０１０１】
１つの処理方式において、多様な実施例がＣＳＩレポートの衝突を解決するためにＣＡに優先順位を付与する。一実施例において、単一ＣＳＩ構成のＣＳＩレポートが各セルから選択される。そのような単一構成の選択は、ＣＡないＣｏＭＰの形式のために前述した単一セル上で多重ＣＳＩ構成のための中断規則のうち１つを利用することによる。次の段階で、セルそれぞれから選択されたＣＳＩレポートは、ＣｏＭＰなしにＣＡのために使用される規則に従って中断されるか、または多重化される。
【０１０２】
一実施例において、各セルからＣＳＩ構成のＣＳＩレポートは、ＰＵＣＣＨフォーマット２ａまたは２ｂに合わせて押出される。次の段階で、セルそれぞれから選択されたＣＳＩレポートは、ＣｏＭＰないＣＡのために使用される規則に従って中断されるかまたは多重化される。一実施例において、各セルからＣＳＩ構成のＣＳＩレポートは、ＰＵＣＣＨフォーマット２ａまたは２ｂに合わせて圧縮される（すなわち、各セルからＣＳＩレポートでＣＳＩビットの数は、１１のようか小さい）。次の段階で、各セルから選択されたＣＳＩレポートは、ＣＡ＋ＣｏＭＰのための最終結果ＣＳＩがＰＵＣＣＨフォーマット３に合わせて２２ビットのようか小さいビットを有するように中断されるか多重化される。
【０１０３】
一実施例において、各セルからＣＳＩ構成のＣＳＩレポートは、ＰＵＣＣＨフォーマット３に合わせて多重化される。次の段階で、各セルから選択されたＣＳＩレポートは、ＣｏＭＰないＣＡのために使用される規則に従って中断されるかまたは多重化される。
【０１０４】
一実施例において、各セルからＣＳＩ構成のＣＳＩレポートは、ＰＵＳＣＨ構成に合わせて多重化される。次の段階で、各セルから選択されたＣＳＩレポートは、ＣｏＭＰないＣＡのために使用される類似の規則に従って中断されるかまたは多重化される。
【０１０５】
他の接近方法において、多様な実施例は、ＣＳＩレポートの衝突を解決するためにＣｏＭＰに優先順位を付与する。一実施例において、単一セルが第１段階でセルインデックスに基づいて優先順位を付与することによって選択される。第２段階で、単一セルの多重ＣＳＩレポートの衝突処理は、ＣｏＭＰないＣＡのそれに対して類似の規則を適用して行われる。
【０１０６】
他の接近方法において、ＵＥ動作は、そのような衝突が発生すれば特定されない。すなわち、これは、ＵＥ具現による。一実施例において、そのような衝突の場合において、デフォルトＵＥ動作が特定される。そのようなデフォルト動作の例は、最も低いセルインデックス及び最も低いＣＳＩ構成インデックス（または最も低いＣＳＩ−ＲＳまたはＩＭＲインデックス）に対応するＣＩＳレポートをフィードバックすることを含む。他のデフォルト動作は、どれもレポーティングしないものである。
【０１０７】
他の接近方法において、そのような衝突の場合に、ＰＵＳＣＨレポートは、すべてのレポートを含むＵＥによって伝送される。この動作は、ネットワークによって構成されることもできる。
【０１０８】
他の接近方式において、多様な実施例は、ＣＳＩレポートの衝突を解決するために他のＰＵＣＣＨフォーマットを使用する。ＵＥがキャリア結合（すなわち、多重セル／キャリア）で構成されることを考慮して見よう。
【０１０９】
すべてのものが単一セルからの多重ＣＳＩレポートの衝突の場合において、ＰＵＣＣＨフォーマット３は、単一セルの多重ＣＳＩレポートを多重化するために使用される。ペイロードがフォーマット３の容量より小さいか、レポートの数が任意の数（すなわち、２）より大きければ、一部のレポートは、前述した中断規則に従って中断されることができる。
【０１１０】
少なくとも１つのセル（ＣＡ＋ＣｏＭＰ場合）のための多重ＣＳＩ構成に対応する２以上のＣＳＩ−ＲＳレポートを有する、多重セルに対応する多重ＣＳＩレポートの衝突の場合、第１段階で、それぞれのセルに対応する１つ以上のレポートは、圧縮されるかまたは多重化されるかまたはＰＵＣＣＨフォーマット２ａ／２ｂレポートサイズで下向き選択される。その後、次の段階で、ＣｏＭＰないＣＡに対応する中断／多重化規則が使用される。
【０１１１】
ＵＥは、ＣＡ（すなわち、多重セル／キャリア）で構成されるイベントで、規則が次のような衝突処理のために定義される：すべて単一セルからの多重ＣＳＩレポートの衝突の場合に、ＰＵＳＣＨは、プライマリーセルの多重ＣＳＩレポートを多重化するために使用される；他のレポートは、ＰＵＣＣＨ２ａ／２ｂまたは３上で伝送するために下向き選択／多重化されるか、または完全に中断されることができる。
他の接近方式において、衝突処理は、衝突でプライマリーセルＣＳＩレポートによって変わることができる。
【０１１２】
実施例において、プライマリーセルが単一ＣＳＩレポートを有すれば、キャリア結合は、ＣｏＭＰより優先順位が付与され、既に説明されたＣｏＭＰに先立ってＣＡに優先順位を付与するための対応する実施例のうち１つが使用される。プライマリーセルが１つ以上のＣＳＩレポートを有すれば、ＣｏＭＰは、ＣＡに先立って優先順位が付与され、前述したＣＡに先立ってＣｏＭＰに優先順位を付与するための対応する実施例のうち１つが使用される。どんなプライマリーセルレポートもないとき、デフォルト規則が使用され得る。すなわち、すべての他のレポートを中断することによってただ単一ＣＳＩレポートが選択されるか、またはどれもレポートしない。
【０１１３】
他の接近方式において、３以上のＣＳＩレポートは、まず、レポートの形式に基づいて１つ以上のＣＳＩレポートに対して下向き選択される。次の段階で、ただ単一レポートが残っていたら、そのレポートが伝送される；２レポートが残っていたら、ＣＡないＣｏＭＰまたはＣｏＭＰないＣＡ衝突処理規則が適用される；そして２以上のレポートが残っていたら、動作が特定されないか、デフォルト動作が特定されるかまたは前述した１つ以上の衝突処理規則が使用されるか、または、（残されたＣＳＩレポートの）形式従属動作が特定される。デフォルト動作は、何もフィードバックしないか、他のものを中断させながら単一レポートをフィードバックするか、他のものを中断させながら最も低いＣＳＩ構成インデックス及び最も低いセルインデックスのＣＳＩレポートをフィードバックするものになることができる。
【０１１４】
一実施例において、ＣｏＭＰないＣＡの場合に、すなわち、多重セルに対応するＣＳＩレポートが衝突するが、セル当たりただ１つの単一ＣＳＩレポートを有するとき、適用する衝突解消動作を定義するために第１ＲＲＣ構成が使用される。ＣＡないＣｏＭＰ衝突の場合に、すなわち、単一セルの多重ＣＩ構成に対応するＣＳＩレポートを有するとき、第２ＲＲＣ構成が衝突解決動作を定義するために使用される。第３ＲＲＣ構成がＣｏＭＰ及びＣＡの衝突解決動作のために使用される。ＲＲＣ構成は、例えば、中断または多重化または圧縮スキームの使用されるか否かが提供され得る１つ以上の構成可能なパラメータである。他の例で、構成可能なパラメータは、他の動作の間のスイッチングのために使用される臨界値を含むことができる。そのような臨界値は、例えば、ｉ）衝突レポートの数、ｉｉ）衝突レポートそれぞれでビットの数、ｉｉｉ）衝突レポートでビットの全体数になることができる。他の例として、構成可能なパラメータは、任意上向きリンクフォーマットが使用されるか否かを示すことができ、これは、ｉ）ＰＵＣＣＨ形式２／２ａ／２ｂ、ｉｉ）ＰＵＣＣＨ形式３、及び／またはｉｉｉ）ＰＵＳＣＨを含む。
【０１１５】
一実施例において、ＵＥは、ＣｏＭＰ及びＣＡ衝突、すなわち、多重セルに対応する多重ＣＳＩレポートの衝突の場合のための衝突規則を第１及び第２ＲＲＣ構成に基づいて、少なくとも１つのセルのための多重ＣＳＩ構成に対応する２以上のＣＳＩレポートで誘導する。
【０１１６】
一実施例において、ＵＥは、ただ第１ＲＲＣ構成に基づくＣｏＭＰ及びＣＡ衝突の場合のための衝突規則を誘導する。一例において、ＣｏＭＰないＣＡの場合を考慮する第１ＲＲＣ構成パラメータは、リリース１０規格と同じ中断スキームまたは多重化／圧縮スキーム（一部の例は、一部のレポートを中断し、レポートを多重化し、そして前述したレポートを圧縮する実施例で発見され得る）が適用されることを示す。
【０１１７】
ＣｏＭＰ及びＣＡの衝突を解決するために、ＵＥ動作は、第１ＲＲＣ構成パラメータが中断スキームを示すかまたは多重化／圧縮スキームを示すか否かによって変更される。中断するもので構成されるとき、ＵＥは、あらかじめ定義された実施例による構成されたセルそれぞれでＣｏＭＰＣＳＩレポートを圧縮／多重化／中断した後、ただ１つのセルのＣＳＩレポートを伝送することができる。（一部の例は、前述したように、一部のレポートを中断し、レポートを多重化し、そして、レポートを圧縮する実施例で発見され得）、ここで、ただ１つのセルのＣＳＩレポートが例えば、ＰＵＣＣＨフォーマット２／２ａ／２ｂで伝達される。この際、多重セルのＣＳＩレポート以外にただ１つのセルのＣＳＩレポートを伝送するＵＥ動作は、例えば、多重セルのための多重ＣＳＩレポートがサブフレームで衝突するとき、実施例１またはリリース１０ＵＥ動作での実施例によって定義され得る。多重化／圧縮するもので構成されるとき、あらかじめ決定された実施例による構成されるセルそれぞれでＣｏＭＰＣＳＩレポートを圧縮／多重化／中断した後（一部の実施例は、前述したように、一部のレポートを中断し、レポートを多重化し、そして、レポートを圧縮する実施例で発見され得る）、ＵＥは、あらかじめ決まった実施例によってＰＵＣＣＨ形式３またはＰＵＳＣＨで伝達するための多重セルのＣＳＩレポートを圧縮／多重化することができる（一部の実施例は、前述したように、レポートを多重化し、レポートを圧縮する実施例で発見され得る）。
【０１１８】
一実施例において、ＵＥは、ただ第３ＲＲＣ構成に基づくＣｏＭＰ及びＣＡ衝突の場合のための衝突規則を誘導する。
一実施例において、ＵＥは、ＣｏＭＰ及びＣＡ衝突のための衝突規則を誘導するにあたって、第１、第２及び第３ＲＲＣ構成のうち１つ以上を使用する。
【０１１９】
本発明の実施例は、多重の周期的なレポートの共同構成を含む。多様な実施例において、インタＣＳＩ−ＲＳリソースフィードバックを伝達する一部レポートの存在で、単一ＰＵＣＣＨフィードバックモードの設定が好ましい。そのようなインタＣＳＩ−ＲＳリソースフィードバックの一部の例は、単一ＲＩフィードバックを含むことができる。例えば、ネットワークは、フィードバックが要請される２以上のＣＳＩ−ＲＳのための単一ＲＩレポートを要請することができる。ランクのそのような整列は、ネットワークが各ＣＳＩ−ＲＳリソースフィードバックを基礎にする共同伝送を行うようにする。
【０１２０】
そのようなインタＣＳＩ−ＲＳリソースフィードバックの他の例が結合ＣＱＩフィードバックを含むことができる。結合ＣＱＩフィードバックは、１つ以上の伝送ポイント（ＴＰ：ｔｒａｎｓｍｉｓｓｉｏｎ  ｐｏｉｎｔ）から共同伝送を仮定するＣＱＩである。そのようなインタＣＳＩ−ＲＳリソースフィードバックの他の例は、結合ＰＭＩを含む。結合ＰＭＩは、１つ以上の伝送ポイントから共同伝送を仮定するＰＭＩである。そのようなインタＣＳＩ−ＲＳリソースフィードバックの他の例は、インタＴＰフェーズフィードバックを含む。フェーズ整列フェーズフィードバックは、共同伝送のための２ＣＳＩ−ＲＳリソース間のフェーズ整列に対応する。
【０１２１】
一実施例において、フィードバックモードは、下記の表４による２以上のＣＳＩ−ＲＳリソース共同フィードバック構成に対して定義される。
【０１２２】
【表４】
0006400001.tif 000009
【０１２３】
図７は、本発明の実施例による時間で多重化され得る多重のＣＳＩ−ＲＳリソースに対応するフィードバックレポーティングを示す。図示の実施例で、独立レポートが多重化される。（すなわち、独立レポート形式（例えば、各ＣＳＩ−ＲＳリソースと関連したワイドバンドＣＱＩ）は、すべてのＣＳＩ−ＲＳリソースにわたって周期性／オフセットパラメータの単一セットで構成される。）結合ＣＱＩのような、新しいレポート形式は、対応して定義されたタイミングパラメータ（例えば、ＮｄａｇｇｒｅｇａｔｅＣＱＩ、ＮｏｆｆｓｅｔａｇｇｒｅｇａｔｅＣＱＩ）とともに伝送される。
【０１２４】
図８は、本発明の実施例による任意のレポート形式のために一緒に構成され得る多重ＣＳＩリソースのためのフィードバックレポーティングを示す。任意の実施例において、多重ＣＳＩ−ＲＳリソースのためのレポートは、ワイドバンド／サブバンドＣＱＩまたはワイドバンド／サブバンドＰＭＩのような、任意のレポート形式のために一緒に構成される。さらに、ＣＱＩは、差動エンコードで共同エンコードされ得る。そのような場合において、ＰＵＣＣＨ形式３は、そのような新しいレポート形式の伝送のために使用され得る。結合ＣＱＩのような、インタＣＳＩ−ＲＳリソースＣＱＩは、それらのタイミングパラメータ（例えば、ＮｄａｇｇｒｅｇａｔｅＣＱＩ、ＮｏｆｆｓｅｔａｇｇｒｅｇａｔｅＣＱＩ）とともに個別的に構成される。一実施例において、１つ以上のレポート形式（例えば、結合ＣＱＩ、インタＴＰフェーズ）は、単一モード内で構成可能に作られる。そのような構成は、そのモードのためにＲＲＣ構成によってサブモードパラメータで示される。
【０１２５】
図９ａ及び図９ｂは、本発明の実施例によるＵＥ自律ＴＰスイッチングで構成される単一周期ＰＵＣＣＨの例を示す。図９ａ及び図９ｂに示された実施例は、ただ説明のためのものである。他の実施例が本発明の範囲を逸脱することなく使用され得る。
【０１２６】
これらの一実施例において、ＵＥは、ただ単一ＣＳＩ−ＲＳリソースに対応するＣＳＩを伝送する。ＵＥは、性能（例えば、ＣＱＩまたはＲＳＲＰ）に基づく伝送のために個別的なＣＳＩを選択することができる。ＵＥは、個別ＣＳＩ−ＲＳリソースのＣＳＩを測定し、最適のＣＱＩまたはＲＳＲＰに基づくレポート形式の間でスイッチングする。ＣＳＩ−ＲＳリソース指示子（ＣＲＩ：ＣＳＩ−ＲＳ  Ｒｅｓｏｕｒｃｅ  ｉｎｄｉｃａｔｏｒ）は、スイッチングを示すために個別的に伝送されることができる。図９ａは、ＲＩ及びＣＲＩが個別的にシグナリングされる実施例を示す。図９ｂは、ＲＩ及びＣＲＩが共同にエンコードされる他の実施例を示す。
【０１２７】
本発明の多様な実施例は、ＣＱＩレファレンスリソース及び干渉測定リソースの指示子を提供する。ＣＳＩレファレンスリソースは、ＵＥのフィードバックが対応するリソースである。ＵＥ具現は、“類似な”サブフレームに平均化するものから妨害されない。リリース１０で干渉測定は、毎サブフレームで利用可能なＣＲＳに依存する。したがって、干渉測定に対するどんなレファレンスも先立ってＣＳＩレファレンスリソース定義で作られない。３ＧＰＰ  ３６．２１３セクション７．２．３は、ＣＳＩレファレンスリソースの定義を提供する。
【０１２８】
一実施例において、ネットワークは、周期的なＣＳＩ構成のためのＩＭリソースを明示的に示す。ＩＭリソース（ＣＳＩ−ＩＭリソース）インデックス及びＣＳＩ−ＲＳリソースインデックスは、ＰＵＣＣＨフィードバックモード構成それぞれと関連していて、下記の表５に示されたような、１つ以上の周期的なＣＳＩ構成（またはＣＳＩプロセス）のためのＲＲＣ構成で明示的に示される。結果的に、ＣＳＩレファレンスリソース定義は、周期的なＣＳＩレポーティングのためにＩＭリソースに併合されられるように修正され得る。
【０１２９】
【表５】
0006400001.tif 000010
【０１３０】
一実施例において、レファレンスサブフレームは、干渉測定に対するレファレンスなしに定義される。干渉は、構成されたＩＭリソースを有するサブフレーム上で測定を基盤とする。ＵＥは、レファレンスサブフレームが対応するＩＭＲリソースを含まなければ、干渉の補間／外挿を行うものと仮定する。
【０１３１】
図１０ａ及び図１０ｂは、本発明の実施例によるＩＭＲ及びＣＳＩサブフレームの構成を有するレファレンスサブフレームの例を示す。図１０ａ及び図１０ｂに示された実施例は、ただ説明のためのものである。他の実施例が本発明の範囲を逸脱することなく使用され得る。
【０１３２】
図１０ａ及び図１０ｂに示された実施例において、ＵＥに対する下向きリンク伝送は、ｅＩＣＩＣ（ｅｎｈａｎｃｅｄ  Ｉｎｔｅｒｃｅｌｌ  Ｉｎｔｅｒｆｅｒｅｎｃｅ  Ｃｏｏｒｄｉｎａｔｉｏｎ）または他の伝送モード（例えば、伝送モード１０）のような、少なくとも２互いに異なるサブセットを有する。そのようなサブフレームサブセットのために、干渉測定は、ＣＳＩ要請のために構成されるもののように対応するサブフレームサブセットに関するものである（すなわち、干渉測定は、ＵＥがＣＳＩサブフレームセットで構成される時周期的なＣＳＩレポートにリンクされるＣＳＩサブフレームの要素だ）。言い換えれば、ＣＳＩレファレンスリソースに属するサブフレームサブセット内の構成されたＣＳＩ−ＩＭリソースは、干渉測定を誘導するために使用される。例えば、図１０ａに示されたように、２個の互いに異なる形式のサブフレームサブセット１００５及び１０１０は、ＵＥに伝送される下向きリンクサブフレーム１０００内に伝達される。サブフレームサブセットそれぞれのうち、ネットワークは、各サブフレームサブセット１００５及び１０１０内でＩＭリソース１０１５及び１０２０を構成する。ＵＣＩ伝送１０２５でフィードバックレポーティングのために、ＵＥは、干渉測定を誘導するためにＣＳＩレファレンスリソースに属するサブフレームサブセットを使用する。示されたような、サブフレームサブセット１００５に（すなわち、サブフレーム１００５ａに）あるＣＳＩレファレンスリソース（すなわち、ｎＣＱＩ＿ｒｅｆ）のために、例えば、ＵＥは、ＵＣＩ伝送１０２５でフィードバックにレポートされる値またはＣＱＩ値を算出するためにＩＭリソース１０１５を利用する干渉を測定する。サブフレーム１０１０ｄでＩＭリソース１０２０がＵＣＩ伝送１０２５に対する時間または周波数でさらに近似することができるが、ＵＥは、相変らず干渉測定を誘導するためにＣＳＩレファレンスリソースに属するサブフレームサブセット内の構成されたＩＭリソースを使用する。
【０１３３】
図１０ｂに示されたような、他の例において、２個の互いに異なる形式のサブフレームサブセット１０５５及び１０６０は、ＵＥに伝送される下向きリンクサブフレーム１０５０内で提供される。各サブフレームサブセット内で、ネットワークは、各サブフレームサブセット１０５５及び１０６０内でＩＭリソース１０６５及び１０７０を構成する。ＵＣＩ伝送１０７５でフィードバックレポーティングのために、ＵＥは、干渉測定を誘導するためのＣＳＩレファレンスリソースに属するサブフレームサブセットを使用する。図示のように、サブフレームサブセット１０５５に（すなわち、サブフレーム９５５ｂに）あるＣＳＩレファレンスリソース（すなわち、ｎＣＱＩ＿ｒｅｆ）のために、ＵＥは、干渉測定を誘導するために（サブフレームサブセット１０５５の一部である）サブフレーム１０５５ａでのＩＭリソース１０６５を使用する。例えば、ＵＥは、ＵＣＩ伝送１０７５でフィードバックにレポートされる値またはＣＱＩ値を算出するためにＩＭリソース１０６５を利用して干渉を測定する。サブフレーム１０６０ｃでＩＭリソース１０７０がＵＣＩ伝送１０７５に対する時間または周波数でさらに近似することができるが、ＵＥは、相変らず干渉測定を誘導するためにＣＳＩレファレンスリソースに属するサブフレームサブセット内の構成されたＩＭリソースを使用する。
【０１３４】
追加に、干渉測定のプロセッシング（例えば、ＩＭリソースシンボルを受信すること、干渉を測定すること、対応するＣＱＩ値または値を算出することなど）は、時間がかかるので、ＵＥは、干渉測定と関連したフィードバックの正確で且つ適切な時期のレポーティングを保障するためにＵＣＩ伝送１０２５または１０７５と時間で近接した一部構成されたＩＭリソースを実質的に放棄することができる。図１０ａ及び図１０ｂに示された下向きリンク及び上向きリンク伝送は、ＴＤＤまたはＦＤＤシステムに具現され得る。
【０１３５】
一実施例において、ＩＭリソース構成とともに、レファレンスサブフレームは、ＩＭリソース及びＣＳＩサブフレームサブセットの交集合を基盤とする。これは、有効な下向きリンクサブフレームの定義を追加に修正することによって行われることができる。例えば、時間ドメインで、ＣＳＩレファレンスリソースは、単一下向きリンクサブフレームn-nCQI_refによって定義され得る。ここで、周期的なＣＳＩレポーティングのために、nCQI_refは、有効な下向きリンクサブフレームに対応するように、４のようか大きい値のうち最も小さい値である。追加に、サービングセルで下向きリンクサブフレームは、次のような条件なら有効なものと考慮され得る：この条件は、下向きリンクサブフレームがそのＵＥのための下向きリンクサブフレームで構成される場合；伝送モード９を除けば、下向きリンクサブフレームは、ＭＢＳＦＮサブフレームではない場合；下向きリンクサブフレームがＤｗＰＴＳの長さが7680・Ｔsより小さい場合にＤｗＰＴＳフィールドを含まない場合；下向きリンクサブフレームがそのＵＥのための構成された測定ギャップ以内に低下しない場合；及びＵＥが周期的なＣＳＩレポートにリンクされる干渉測定リソースのサブフレームセットの要素及びＣＳＩサブフレームセットで構成されるとき、ＵＥが干渉測定リソースで構成されれば、周期的なＣＳＩレポーティングのために、周期的なＣＳＩレポートにリンクされたＣＳＩサブフレームセットの要素の場合；を含む。
【０１３６】
ＰＵＳＣＨ基盤非周期的なフィードバックモードで、容量がフォーマット３（２２ビット）によって支援されることによって限定されるＰＵＣＣＨ基盤周期的なフィードバックモードより高いＵＣＩオーバーヘッドが支援され得る。これは、ＣｏＭＰで多重ＣＳＩ−ＲＳに対応するＵＣＩの伝送に適している。非周期的なフィードバックモードは、３ＧＰＰ  ＴＳ  ３６．２１３で提供される。どんなインタＣＳＩ−ＲＳリソースフィードバックも支援されなければ、どんな新しいモードも非周期的なＣＳＩに対して定義される必要ない。ＤＣＩフォーマット０（または４）は、“ＣＳＩ要請フィールド（ＣＳＩ  ｒｅｑｕｅｓｔ  ｆｉｅｌｄ）”を支援する。このフィールドは、非周期的なＣＳＩがターンオンされるか否か及びどんなセル（例えば、キャリア）で３ＧＰＰ  ＴＳ  ３６．２１３の表７．２．１−１Ａに示されたようにレポートされるかを示す。
【０１３７】
同様に、ＣＳＩ要請は、ＣｏＭＰのためのＣＳＩ−ＲＳのセットを示すために必要なことがある。一実施例において、独立ＣＳＩ要請フィールドが下記の表６によってＣｏＭＰに対して定義される。
【０１３８】
【表６】
0006400001.tif 000011
【０１３９】
一実施例において、共同にエンコードされたＣＳＩ要請フィールドが使用され得る。２ビットエンコードの例が下記の表７に示された。この例で、ＣｏＭＰは、ただサービングセルのみに対して支援される。サービングセルは、ＣｏＭＰが構成される任意の固定セルによって交替され得る。
【０１４０】
【表７】
0006400001.tif 000012
【０１４１】
３ＧＰＰ  ＴＳ  ３６．２１３の表７．２．１−１Ａでフィードバックモードのセットが再使用され得る。そして、１つ以上のＣＳＩ−ＲＳリソースが構成されれば、ＵＥは、各ＣＳＩ−ＲＳリソースに対して構成されたモードに対応する各ＣＳＩ−ＲＳフィードバックを結合する。例えば、モード１−２は、ＣＳＩ−ＲＳリソース１に対して構成され、ＣＳＩ−ＲＳリソース１に対してモード２−２が構成されれば、ＵＥは、対応するＣＳＩを結合する。
【０１４２】
一実施例において、一部のインタＣＳＩ−ＲＳフィードバックが支援され得る。インタＣＳＩ−ＲＳフィードバックの例は、整列されたＲＩフィードバック、結合ＣＱＩフィードバック、結合ＰＭＩ及びインタＴＰフェーズフィードバックを含む。
【０１４３】
一実施例において、１つ以上のインタＣＳＩ−ＲＳリソースフィードバックモードが下記の表８に示されたように支援されるとき、非周期的なモードが２ＣＳＩ−ＲＳリソースでＣｏＭＰに対して定義される。
【０１４４】
【表８】
0006400001.tif 000013
【０１４５】
インタＣＳＩ−ＲＳリソースフィードバックを支援するための個別モード定義及び実施例が下記で追加に説明される。ＣＳＩ構成は、先立って定義され、ＣＳＩ−ＲＳリソースと交換可能に使用され得る（もし、ＣＳＩ構成が同一の干渉測定リソース構成を共有すれば）。
【０１４６】
モード２−３は、２ＣＳＩ構成のためのＵＥ選択サブバンドフィードバックのためのものである。このフィードバックモードで、ＵＥは、第１ＣＳＩ構成のためのサブバンドＳのセット内でサイズｋのＭ選好サブバンドの第１セットを選択する（ここで、ｋ及びＭは、各システム帯域幅範囲に対して表７．２．１−５、３６．２１３で与えられる）。ＵＥは、第２ＣＳＩ構成のためのサブバンドＳのセット内でサイズｋのＭ選好サブバンドの第２セットを選択する。ＵＥは、また、第１ＣＳＩ構成のために以前段階で決定されたただ第１Ｍ選択サブバンド上での伝送を反映する１つのＣＱＩ値及び第２ＣＳＩ構成のために以前段階で決定されたただ第２Ｍ選択サブバンド上での伝送を反映する他のＣＱＩ値をレポートする。各ＣＱＩは、ＲＩ＞１であるとき、対応するＣＱＩ構成の第１コードワードのためのチャネル品質を示す。追加に、ＵＥは、各ＣＳＩ構成のためのセットＳサブバンド上で伝送を仮定して算出される、１つのワイドバンドＣＱＩ値をレポートする。ワイドバンドＣＱＩは、ＲＩ＞１であるとき、対応するＣＳＩ構成の第１コードワードのためのチャネル品質を示す。
【０１４７】
同一のランクのために、一例で、単一ＲＩは、ＣＳＩ構成両方のためにレポートされる。伝送モード３のために、レポートされたＣＱＩ値は、レポートされたＲＩ上で状態によって算出される。他の伝送モードのために、レポートされたＣＱＩ値は、ランク１上での状態によってレポートされる。
【０１４８】
ワイドバンド結合ＣＱＩのために、一例で、ＵＥは、また、１つのワイドバンド結合ＣＱＩ値を報告する。２ＣＳＩリソースからセットＳサブバンド上で共同伝送を仮定して算出される。他の例で、結合ＣＱＩは、各ＣＳＩ−ＲＳワイドバンドＣＱＩに区別されるようにエンコードする。
【０１４９】
ワイドバンドインタＣＳＩ−ＲＳフェーズのために、一例で、ＵＥは、２ＣＳＩ構成の２ＣＳＩ−ＲＳリソースに対応するワイドバンドインタＣＳＩ−ＲＳリソースフェーズフィードバックをレポートする。
【０１５０】
モード３−３は、２ＣＳＩ構成のための上位階層構成サブバンドフィードバックのためのものである。このフィードバックモードで、ＵＥは、ＣＳＩ構成当たりセットＳサブバンド上で伝送を仮定して算出されるワイドバンドＣＱＩ値をレポートする。ＵＥは、また、各セットＳサブバンド及び各ＣＳＩ構成のための１つのサブバンドＣＱＩ値をレポートする。サブバンドＣＱＩ値は、ただサブバンドでの伝送を仮定して算出される。ワイドバンド及びサブバンドＣＱＩ両方は、ＲＩ＞１であるとき、第１コードワードのためのチャネル品質を示す。
【０１５１】
同一のランクのために、一例で、単一ＲＩは、ＣＳＩ構成両方に対してレポートされる。伝送モード３のために、レポートされたＣＱＩ値は、レポートされたＲＩに対する状態によって算出される。他の伝送モードのために、レポートされたＣＱＩ値は、ランク１に対する条件によってレポートされる。
【０１５２】
ワイドバンド結合ＣＱＩのために、一例で、ＵＥは、また、１つのワイドバンド結合ＣＱＩ値をレポートすることができる。これは、２個のＣＳＩリソースからセットＳサブバンド上で共同伝送を仮定して算出される。他の例で、結合ＣＱＩは、各ＣＳＩ−ＲＳワイドバンドＣＱＩに区分されるようにエンコードされる。
【０１５３】
サブバンド結合ＣＱＩのために、一例で、ＵＥは、また、２ＣＳＩ−ＲＳリソースから共同伝送を仮定して算出される、各セットＳサブバンドのために１つのサブバンド結合ＣＱＩ値をレポートすることができる。他の例で、サブバンド結合ＣＱＩは、ワイドバンド結合ＣＱＩで区別されるようにエンコードされる。サブバンド差等結合ＣＱＩオフセットレベルは、サブバンド結合ＣＱＩインデックスでワイドバンド結合ＣＱＩインデックスを差引したものと同じである。オフセットレベルに対するサブバンド差等結合ＣＱＩ値のマッピングが下記の表９で提供される。
【０１５４】
【表９】
0006400001.tif 000014
【０１５５】
モード３−４は、２ＣＳＩ構成のための上位階層構成サブバンドＰＭＩ／ＣＱＩフィードバックのためのものである。このフィードバックモードで、単一プレコーディングマトリックスは、セットＳサブバンド上で伝送を仮定して対応するＣＳＩ構成のコードブックサブセットから各ＣＳＩ構成に対して選択される。ＵＥは、対応するサブバンドで伝送を仮定してそしてすべてのサブバンドでＣＳＩ構成に対応する単一プレコーディングマトリックスの使用を仮定して算出される各ＣＳＩ構成及び各セットＳサブバンドのためのコードワード当たり１つのサブバンドＣＱＩ値をレポートする。ＵＥは、セットＳサブバンド上で伝送及びすべてのサブバンドでＣＳＩ構成に対応する単一プレコーディングマトリックスの使用を仮定して算出される、ＣＳＩ構成別にコードワード当たりワイドバンドＣＱＩ値をレポートする。ＵＥは、第１及び第２プレコーディングマトリックス指示子というＣＳＩ構成当たり選択された単一プレコーディングマトリックスに対応してレポートされる場合に構成される、８ＣＳＩ−ＲＳポートを有する伝送モード９を除いたＣＳＩ構成当たり選択された単一プレコーディングマトリックス指示子をレポートする。
【０１５６】
同一のランクのために、一例で、単一ＲＩは、ＣＳＩ構成両方に対してレポートされる。伝送モード４、８及び９のために、レポートされたＰＭＩ及びＣＱＩ値は、レポートされたＲＩの条件によって算出される。他の伝送モードで、レポートされたＰＭＩ及びＣＱＩ値は、ランク１に対する条件によってレポートされる。
【０１５７】
ワイドバンド結合ＣＱＩのために、一例で、ＵＥは、セットＳサブバンド上で伝送及びすべてのサブバンドで各ＣＳＩ構成に対応する単一プレコーディングマトリックスを利用する共同伝送を仮定して算出される、コードワード当たりワイドバンド結合ＣＱＩ値をレポートする。
【０１５８】
サブバンド結合ＣＱＩのために、一実施例で、ＵＥは、対応するサブバンドで各ＣＳＩ構成に対応する単一プレコーディングマトリックスを利用する共同伝送を仮定して算出される、各セットＳサブバンドのためのコードワード当たりサブバンド結合ＣＱＩ値をレポートする。
【０１５９】
ワイドバンドインタＣＳＩ−ＲＳリソースフェーズのために、一実施例で、ＵＥは、セットＳサブバンド上で共同伝送を仮定してＣＳＩ構成に対応して２ＣＳＩ−ＲＳリソースに対応するワイドバンドインタＣＳＩ−ＲＳリソースフェーズフィードバックをレポートする。
【０１６０】
フェーズフィードバックを有するワイドバンド結合ＣＱＩのために、一実施例で、ＵＥは、セットＳサブバンド上で伝送及び、単一ワイドバンドインタＣＳＩ−ＲＳリソースフェーズフィードバックを利用する、すべてのサブバンドで各ＣＳＩ構成に対応する単一プレコーディングを利用する共同伝送を仮定して算出される、コードワード当たりワイドバンド結合ＣＱＩ値をレポートすることができる。
【０１６１】
フェーズフィードバックを有するサブバンド結合ＣＱＩのために、一例で、ＵＥは、対応するサブバンドで単一ワイドバンドインタＣＳＩ−ＲＳリソースフェーズフィードバックを利用する、各ＣＳＩ構成に対応する単一プレコーディングマトリックスを利用する共同伝送を仮定して算出される、各セットＳサブバンドのためのコードワード当たりサブバンド結合ＣＱＩ値をレポートすることができる。他の例で、サブバンド結合ＣＱＩは、ワイドバンド結合ＣＱＩに区別されるようにエンコードされる。
【０１６２】
モード１−５は、２ＣＳＩリソースに対するワイドバンドフィードバックのためのものである。このフィードバックモードで、各サブバンドのために、各ＣＳＩ構成のための選好プレコーディングマトリックスは、ただサブバンドで伝送を仮定する対応するＣＳＩ構成のコードブックサブセットから選択される。各ＣＳＩ構成のために、ＵＥは、セットＳサブバンド上で伝送及び各サブバンドで対応して選択されたプレコーディングマトリックスの使用を仮定して算出される、コードワード当たり１つのワイドバンドＣＱＩ値をレポートする。各ＣＳＩ構成のために、ＵＥは、第１プレコーディングマトリックス指示子がセットＳサブバンドのためにレポートされ、第２プレコーディングマトリックス指示子が各セットＳサブバンドのためにレポートされる場合に、構成される８  ＣＳＩ−ＲＳを有する伝送モード９を除いた各セットＳサブバンドに対して選択されたプレコーディングマトリックス指示子をレポートする。サブバンドサイズは、３ＧＰＰ  ＴＳ  ３６．２１３の表７．２．１−３に定義される。
【０１６３】
同一のランクのために、一実施例で、単一ＲＩは、ＣＳＩ構成両方のためにレポートされる。伝送モード４、８及び９のために、レポートされたＰＭＩ及びＣＱＩ値は、レポートされたＲＩに対する条件によって算出される。他の伝送モードで、レポートされたＰＭＩ及びＣＱＩ値は、ランク１に対する条件によってレポートされる。
サブバンドインタＣＳＩ−ＲＳフェーズのために、一例で、インタＣＳＩ−ＲＳフェーズは、ただサブバンドで伝送を仮定してサブバンド当たりレポートされる。
【０１６４】
サブバンドインタＣＳＩ−ＲＳフェーズを有するワイドバンド結合ＣＱＩのために、一例で、ＵＥは、セットＳサブバンドに対する伝送、及びサブバンド当たりインタＣＳＩ−ＲＳフェーズ、及び各サブバンドで対応して選択されたプレコーディングマトリックスの使用する共同伝送を仮定して算出される、コードワード当たり１つの結合ワイドバンドＣＱＩ値をレポートする。
【０１６５】
モード２−５は、２  ＣＳＩ構成及び多重ＰＭＩのためのＵＥ選択サブバンドフィードバックのためのものである。このフィードバックモードで、ＵＥは、Ｍ選択サブバンド上で伝送のために使用することが選好されるコードブックサブセットから選択された選好される単一プレコーディングマトリックス及びサブバンドＳのセット内でサイズｋのＭ選好サブバンドのセットの共同選択を行う。Ｍ選好サブバンド及び関連単一プレコーディングマトリックスは、各ＣＳＩ構成のために得られる。各ＣＳＩ構成のために、ＵＥは、それぞれのＭサブバンドで同一に対応して選択された単一プレコーディングマトリックスを利用するそしてただ対応選択されたＭ選好サブバンド上のみで伝送を反映するコードワード当たり１つのＣＱＩ値をレポートする。構成された８  ＣＳＩ−ＲＳポートを有する伝送モード９を除いて、各ＣＳＩ構成に対して、ＵＥは、また、Ｍ選択サブバンドに対して選好される対応選択された単一プレコーディングマトリックス指示子をレポートする。各ＣＳＩ構成のために、ＵＥは、また、すべてのセットＳサブバンドのための対応選択された単一プレコーディングマトリックス指示子をレポートする。構成された８  ＣＳＩ−ＲＳポートを有する伝送モード９のために、各ＣＳＩ構成に対して、ＵＥは、すべてのセットＳサブバンドのために対応する第１プレコーディングマトリックス指示子をレポートする。各ＣＳＩ構成のために、ＵＥは、また、すべてのセットＳサブバンドのために対応する第２プレコーディングマトリックス指示子をレポートする。各ＣＳＩ構成のために、単一プレコーディングマトリックスは、セットＳサブバンド上で伝送を仮定する対応するＣＳＩ構成のコードブックサブセットから選択される。各ＣＳＩ構成のために、ＵＥは、セットＳサブバンド上で伝送及びすべてのサブバンドで対応する単一プレコーディングマトリックスの使用を仮定して算出される、コードワード当たり関連したワイドバンドＣＱＩ値をレポートする。
【０１６６】
一例で、単一ＲＩは、ＣＳＩ構成両方に対してレポートされる。伝送モード４、８及び９のために、レポートされたＰＭＩ及びＣＱＩ値は、レポートされたＲＩの条件によって算出される。他の伝送モードで、レポートされたＰＭＩ及びＣＱＩ値は、ランク１に対する条件によってレポートされる。
【０１６７】
ワイドバンド結合ＣＱＩのために、一例で、ＵＥは、セットＳサブバンド上で伝送及びすべてのサブバンドで各ＣＳＩ構成に対応する単一プレコーディングマトリックスを利用する共同伝送を仮定して算出される、コードワード当たりワイドバンド結合ＣＱＩ値をレポートする。
【０１６８】
ワイドバンドインタＣＳＩ−ＲＳリソースフェーズのために、一例で、ＵＥは、セットＳサブバンド上で共同伝送を仮定するＣＳＩ構成に対応する２  ＣＳＩ−ＲＳリソースに対応してワイドバンドインタＣＳＩ−ＲＳリソースフェーズフィードバックをレポートする。
【０１６９】
ワイドバンドフェーズを有するワイドバンド結合ＣＱＩのために、一例で、ＵＥは、セットＳサブバンド上で伝送、そして、ワイドバンドインタＣＳＩ−ＲＳリソースフェーズフィードバックを利用する、すべてのサブバンドで各ＣＳＩ構成に対応する単一プレコーディングマトリックスを利用する共同伝送を仮定して算出される、コードワード当たりワイドバンド結合ＣＱＩ値をレポートする。
【０１７０】
共同伝送を仮定するＭサブバンドの選択のために、一例において、ＵＥは、Ｍ選択サブバンドの上で伝送のための使用が選好される各ＣＳＩ構成のためのコードブックサブセットから選択された選好単一プレコーディングマトリックス及びサブバンドＳのセット内のサイズｋのＭ選好サブバンドのセットの２ＣＳＩ構成から共同伝送を仮定する共同選択を行う。
【０１７１】
選択されたＭサブバンド上で各ＣＳＩ−ＲＳリソースＣＱＩのために、一実施例において、ＵＥは、以前段階からＭサブバンドそれぞれで各ＣＳＩ構成のために同一の対応選択単一プレコーディングマトリックスを利用し、そして共同伝送のためにただ対応して選択されたＭ選好サブバンド上で共同伝送を反映するコードワード当たり１つのＣＱＩ値をレポートする。
【０１７２】
選択されたＭサブバンドのためのインタＣＳＩ−ＲＳフェーズのために、一例において、ＵＥは、共同伝送のための選択されたＭ選好サブバンド上で共同伝送を仮定する単一インタＣＳＩ−ＲＳリソースフェーズフィードバックをレポートする。
【０１７３】
選択Ｍサブバンドに対する結合ＣＱＩのために、一例で、ＵＥは、Ｍサブバンドそれぞれで、選択された単一インタＣＳＩ−ＲＳリソースフェーズフィードバックと、各ＣＳＩ構成のための対応選択単一プレコーディングマトリックスを利用し、共同伝送のためにただ対応して選択されたＭ選好サブバンド上で共同伝送を反映するコードワード当たり１つの結合ＣＱＩ値をレポートする。
【０１７４】
一例で、ＣＳＩ構成両方に対する選択された単一ＲＩは、先立ってフィードバックモードで定義されたもののように、さらに大きいワイドバンドＣＱＩを有するＣＳＩ構成を基盤とすることができる。他の例で、選択された単一ＲＩは、最大のＲＩを有するＣＳＩ構成を基盤とすることができる。他の例で、ＲＩは、上位階層または固定（例えば、構成１）によって構成されるか、またはあらかじめ定義され得る、ＣＳＩ構成のうちいずれか１つを基盤とすることができる。
【０１７５】
結合ＣＱＩのために、干渉測定のために推定されたＩＭリソースは、暗黙的に定義されるかまたは上位階層によって個別的に構成されることができる（例えば、２ＣＳＩ構成に対応するＣＳＩ−ＲＳリソース以外のすべての干渉を測定）。
【０１７６】
ＣＳＩ構成両方が異なるＩＭＲリソースではなく、同一のＣＳＩ−ＲＳリソースに対応すれば、インタＣＳＩ−ＲＳリソースフィードバックの一部は、支援される必要がない。結合ＣＱＩ、インタＣＳＩ−ＲＳフェーズフィードバックまたは単一ランクフィードバックをレポートする必要がない。一例で、このようなフィードバックがレポートされる必要がなければ、これらレポートは中断されることができ、代わりに、他のレポートに代替されることができる。例えば、多重ランクフィードバックが支援され得るか、または個別ＣＳＩ構成のＣＱＩが区分されるようにエンコードされ得る。しかし、ＣＳＩ構成が同一のＣＳＩリソースを共有すれば、先立って定義されたモードを使用することが好ましくないことがある。より一般的に、それぞれの定義されたフィードバックモードで、２以上のＣＳＩ構成に対応するレポートが支援され得る。インタＣＳＩ−ＲＳリソースフィードバックのための類似の定義は、この文献で説明される定義の単純な拡張に使用され得る。
本発明の実施例は、ＵＥで過度な演算複雑性を避けるためにＣＳＩレポーティングの他の形式を含む。
【０１７７】
ＬＴＥリリース８で、ＵＥは、ＣＳＲに対する測定に対応するＣＳＩをレポートし、どんなキャリア結合またはＣｏＭＰも支援しない。したがって、ＵＥは、多重のサービングセル（またはキャリア）及び／または多重のＣＳＩ構成のＣＳＩをレポートすることが要求されない（すなわち、ＣｏＭＰ推定）。したがって、ＣＳＩレポーティングのタイミングは、単一ＣＳＩ伝送のために提供される。さらに、ｅＩＣＩＣの支援と一緒に、多重（例えば、２）サブフレームサブセットは、独立ＣＳＩ測定のために構成され得る。ＵＥで潜在的なＣＳＩ推定の数は、３（すなわち、ＣＳＩ構成の最大数）ｘ５（すなわち、サービングセルの最大数）ｘ２（すなわち、サブフレームサブセットの最大数）＝３０のように大きい。便宜のために、実施例は、ＣＳＩプロセスのような３個（すなわち、サービングセル、ＣＳＩ構成、ＳＣＩサブフレームサブセット）に対応するＣＳＩを示す。
【０１７８】
測定がレポートの間に充分に低い周期性及び適合なオフセットを有するように構成されれば、ＵＥ受信機複雑度は、短い時間期間内に多いＣＳＩプロセスの同時測定を支援する必要はない。しかし、他のＣＳＩプロセスのタイミング構成が完全にフレキシブルであり、同時に構成され得るそれらの数に対して現在どんな制限も存在しない。
【０１７９】
本発明の実施例は、ＵＥで過度な演算複雑度を避けるためにＣＳＩレポーティングの他の形式に対して定義されるいくつかの規則を含む。
【０１８０】
一実施例において、非周期的なレポーティングに対して、ＵＥは、上向きリンクグラントでＣＳＩ＿ｒｅｑｕｅｓｔフィールドを利用するＣＳＩに対して要請されることができる。対応する上向きリンク伝送は、４サブフレーム後に位置する。非周期的な要請で、ネットワークは、任意の数のＣＳＩプロセスのためのフィードバックを要請することができる。現在、非周期的な要請に対応するＣＳＩサブフレームサブセットは、上向きリンクグラントを有するサブフレームと暗黙的に関連した。言い換えれば、フィードバックは、上向きリンクグラントを有するサブフレームが属するサブフレームサブセットに対応する。したがって、非周期的な要請は、最大３＊５＊１＝１５ＣＳＩプロセスのためのフィードバックを要請することができる。
【０１８１】
図１１は、非周期的な要請に対応するＣＳＩサブフレームサブセット及び非周期的な要請を有する上向きリンクグラントサブフレームを示す。図示のように、ｎ＋１からｎ＋４まで長さ４のウィンドウ上で、ＵＥは、３０  ＣＳＩプロセスのように多くのプロセスをしなければならないし、ｎ及びｎ＋１を推定することは、他のサブフレームサブセットに対応する。ネットワークが設定するか、そのような大きい量のフィードバックから利得を得ることは、起きないようだが、本発明の多様な実施例は、次のように複雑度が増加する最悪の場合でさえＵＥ動作を支援するための規則を設計する。一部の制限がＵＥ設計のために知られれば、具現複雑度及び値が最適化され得る。
【０１８２】
単一ＣＳＩ要請のために、一実施例で、ＵＥは、非周期的なＣＳＩ要請の一部でＮ＿ｔｈｒｅｓｈｏｌｄレポートより大きく受信されることを期待（ｅｘｐｅｃｔ）することができない。制限が超過すれば、ＵＥ動作は、具現従属的に定義されるかまたは特定されない。他の実施例において、非周期的な要請でＣＳＩプロセスの数がＮ＿ｔｈｒｅｓｈｏｌｄより大きければ、ＵＥは、ＣＳＩ伝送を中断することができる。 他の実施例において、非周期的な要請でＣＳＩプロセスの数がＮ＿ｔｈｒｅｓｈｏｌｄより大きければ、ＵＥは、一部のレポートを中断し、他のレポートを伝送することができる。他の実施例において、非周期的な要請でＣＳＩプロセスの数がＮ＿ｔｈｒｅｓｈｏｌｄより大きければ、上向きリンクＣＳＩ伝送と関連した１つ以上のパラメータは、暗黙的に修正され得る。一例で、上向きリンクグラントから上向きリンクＣＳＩ伝送に対する遅延は、４サブフレームの代わりに、８サブフレームになることができる。
【０１８３】
単一ＣＳＩ要請のために、本発明による任意の実施例は、多重の連続した上向きリンクＣＳＩ伝送がＣＳＩレポートのために構成されることを含む。一例で、非周期的な要請でＣＳＩプロセスの数がＮ＿ｔｈｒｅｓｈｏｌｄより大きければ、多重の連続した上向きリンクＣＳＩ伝送（すなわち、多重−シュート）が設定され得る。他の例において、ＣＳＩプロセッシングの数を有する非周期的な要請がＮ＿ｔｈｒｅｓｈｏｌｄより大きいことを判読すれば、ＵＥは、多重の連続された上向きリンクＣＳＩ伝送を有するようにトリガーされる。他の例で、追加的なシグナリングが多重シュート上向きリンクＣＳＩ伝送を示すために（例えば、ビット−フィールドの一部で）非周期的なＣＳＩ要請に使用される。
【０１８４】
図１１に示されたように、ＵＥでプロセッシング複雑度は、フィードバックされる係留中の（ｐｅｎｄｉｎｇ）ＣＳＩの数に関連した。これは、前述したように、任意のウィンドウ内で最も最近の非周期的なＣＳＩ要請に関連した。
【０１８５】
多重ＣＳＩ要請のために、一実施例で、臨界値は、２以上の非周期的なＣＳＩ要請を基盤として定義され得る。さらに、多重化／中断規則は、２以上の非周期的なＣＳＩ要請を基盤として定義され得る。より一般的に、この実施例は、次のように説明され得る。
【０１８６】
ＵＥは、与えられた時間でＮ＿ｔｈｒｅｓｈｏｌｄプロセス以上の係留中の要請（ｐｅｎｄｉｎｇ  ｒｅｑｕｅｓｔｓ）を有すれば、ＣＳＩ伝送に対する１つ以上の次の実施例は、上向きリンクサブフレームｎ＋４で対応するＣＳＩを伝送することに反対に適用され得る。一実施例で、ＵＥ動作は、特定されず、ＵＥ具現は、そうではなければ、どんなに上向きリンクＣＳＩ伝送をする方法を決定することができる。一実施例において、ＵＥは、すべての係留中の非周期的なＣＳＩ要請を中断する。一実施例において、ＵＥは、最も最近の非周期的なＣＳＩ要請を中断する；一実施例において、ＵＥは、最も古い非周期的なＣＳＩ要請を中断する。一実施例において、ＵＥは、１つ以上の非周期的な要請の１つ以上のＣＳＩプロセスのＣＳＩを中断する。一実施例において、ＵＥは、サービングセルのそれを除いたすべてのＣＳＩ要請を中断する。一実施例において、ＵＥは、各セルに対する下位ＣＳＩ構成インデックス（ｌｏｗｅｒ  ＣＳＩ  ｃｏｎｆｉｇｕｒａｔｉｏｎ  ｉｎｄｅｘ）に対応するＣＳＩプロセスのそれを除いたすべてのＣＳＩ要請を中断する。一実施例において、ＵＥは、ＣＳＩプロセスの組合されたセットに対して周期的なＣＳＩ衝突の場合のために先立って提案された中断規則を使用する。本発明による実施例は、ＣＳＩ伝送が任意の状況で遅延されるように構成され得ることを含む。
【０１８７】
ＦＤＤ（すなわち、ＬＴＥでフレーム構造形式１）において、一実施例において、非周期的な要請でＣＳＩプロセスの数がＮ＿ｔｈｒｅｓｈｏｌｄより大きければ、ＵＥは、サブフレームｎ＋ｋで上向きリンクを伝送する。ここで、ｋは、４より大きい。他の例で、ｋは、４の倍数である。他の例で、ｋ＝８である。一実施例で、上向きリンク伝送の再伝送は、遅延された伝送である、第１上向きリンク伝送に関連して以前と同一のタイミングに従う。一例において、遅延ｋは、上位階層シグナリングによって構成され得る。他の実施例で、ＵＥは、サブフレームｎ＋ｋで上向きリンクを伝送する。ここで、ｋは、４より大きい。
【０１８８】
図１２は、本発明の一実施例による上向きリンクＣＳＩを伝送することを示す。非周期的なＣＳＩ要請は、サブフレームｎで受信され、対応する上向きリンクＣＳＩ１は、サブフレームＮ＋８で伝送される。しかし、上向きリンクＣＳＩ  １に対して応答するＮＡＣＫ伝送が受信され、上向きリンクＣＳＩ１は、サブフレームｎ＋１２で再伝送される。
【０１８９】
ＰＵＳＣＨに対する非周期的なＣＳＩ要請とともに、ＵＥは、サービングセルのために、各ＣＳＩ要請フィールドがレポートをトリガーするように設定され、予約されていなければ、上向きリンクＤＣＩフォーマット、または、ランダム接続応答グラント（Ｒａｎｄｏｍ  Ａｃｃｅｓｓ  Ｒｅｓｐｏｎｓｅ  Ｇｒａｎｔ）をサブフレームｎでデコーディングするとすぐ、サービングセルに対してサブフレームｎ＋ｋでＰＵＳＣＨを使用する非周期的なＣＳＩレポーティングを行う。ＣＳＩ要請フィールドが１ビットであるとき、レポートは、ＣＳＩ要請フィールドが‘１’に設定されれば、サービングセルのためにトリガーされる。
【０１９０】
ＣＳＩ要請フィールドサイズが２ビットなら、レポートは、非周期的なＣＳＩレポーティングに対応する表１０での値によってトリガーされる。表１０は、ＵＥ特定検索空間で上向きリンクＤＣＩフォーマットを有するＰＤＣＣＨのためのＣＳＩ要請フィールドを示す。
【０１９１】
【表１０】
0006400001.tif 000015
【０１９２】
ＤＣＩフォーマット０及びＤＣＩフォーマット４によって与えられたように、ＰＵＳＣＨ伝送のグラントのために使用されたＤＣＩフォーマットを有するＰＤＣＣＨがこの文献で共同動作が処理されるとき、上向きリンクＤＣＩフォーマットで示す。
【０１９３】
上向きリンクＤＣＩフォーマットでＣＳＩ要請フィールドがレポートをトリガーするように設定されれば、ＦＤＤｋ＝４に対して、そして、ＴＤＤ上向きリンク／下向きリンク構成１−６に対して、ｋは、表８−２で与えられる。ＴＤＤ上向きリンク／下向きリンク構成０に対して、上向きリンクインデックスのＭＳＢが１に設定され、上向きリンクインデックスのＬＳＢが０に設定されれば、ｋは、表８−２で与えられる；または、上向きリンクインデックスのＭＳＢが０に設定され、上向きリンクインデックスのＬＳＢが１に設定されれば、ｋは、７の同じである；または、上向きリンクインデックスのＭＳＢ及びＬＳＢ両方が１に設定されれば、ＴＤＤ構成０−６のためのｋは、下記の表１１に与えられる。
【０１９４】
【表１１】
0006400001.tif 000016
【０１９５】
ＴＤＤ（すなわち、ＬＴＥでフレーム構造形式２）において、一実施例において、非周期的な要請でＣＳＩプロセスの数がＮ＿ｔｈｒｅｓｈｏｌｄより大きければ、ＵＥは、サブフレームｎ＋Ｄ＋ｋ１で上向きリンクに対して対応するＣＳＩを伝送する。ここで、ｋ１は、先立って定義された。
【０１９６】
ランダム接続応答グラントからＣＳＩ要請フィールドがレポートをトリガーするように設定し、予約されていないとき、ｋは、ＴＳ  ３６．２１１のセクション６．２で上向きリンク遅延フィールドが０に設定されれば同一である。ここで、ｋは、セクション６．１．１．で与えられる。ＵＥは、上向きリンク遅延フィールドが１に設定されれば、次の利用可能な上向きリンクサブフレームに対する非周期的なＣＳＩレポーティングを遅延することができる。
【０１９７】
一実施例において、非周期的な要請でＣＳＩプロセスの数がＮ＿ｔｈｒｅｓｈｏｌｄより大きければ、ＵＥは、サブフレームｎ＋Ｄ＋ｋ２で上向きリンクに対して対応するＣＳＩを伝送する。ここで、ｋ２は、表１１と類似な新しい表を有するように定義され得る。一実施例において、表でエントリーは、ＵＥでＣＳＩ演算のための追加的な時間を提供するために４より大きいすべてのものである。一実施例で、遅延Ｄは、上位階層シグナリングによって構成され得る。一例において、ＵＥは、与えられたサブフレームのために１つ以上の非周期的なＣＳＩレポート要請を受信することを期待することができない。
【０１９８】
前述した実施例は、ＵＥ複雑度負担が非常に高い場合に発展して来た。定義された条件は、任意の臨界値より大きいＣＳＩプロセスの数を基盤とする。より一般的な実施例は、また、条件が異なる方式で定義されるときに適用することができる。このような一部の例は、ＵＥに対して一緒にＣｏＭＰ＋ＣＡの構成を条件とすること、ネットワーク構成臨界値を条件とすること及びＵＥ能力値を含む。
【０１９９】
ＰＵＣＣＨに対する周期的な伝送とともに、単一ＣＳＩプロセス（または小さい数の同時レポート、例えば、２または３）は、周期的なＰＵＣＣＨレポーティング当たり構成され得る。周期的なＰＵＣＣＨレポートそれぞれは、説明されたタイミングパラメータ（すなわち、周期性、オフセット）と関連した。
【０２００】
周期的なＣＳＩとともに、多重のＰ−ＣＳＩのための上向きリンク伝送がサブフレームで相互間に衝突することができる場合が存在することができるという点に留意しなければならない。そのようなサブフレームで、衝突するＣＳＩは、１つ以上のＰ−ＣＳＩが伝送され、他のものが中断されるように処理され得る。本文献で概要が説明された以前の実施例のうち一部は、このような目的のために使用され得る。
【０２０１】
図１３は、本発明の実施例による周期的なＣＳＩレポーティングの衝突を示す。図１３に示されたＣＳＩレポーティングの実施例は、ただ説明のためのものである。他の実施例が本発明の範囲を逸脱することなく使用されることもできる。
【０２０２】
図示のように、サブフレームｎ−（ｎ）は、サブフレームｎで伝送されるＰ−ＣＳＩに対応するＣＳＩのためのレファレンスサブフレームに対応する。同様に、サブフレームｎ１−（ｎ１）は、サブフレームｎ１でＰ−ＣＳＩのためのレファレンスサブフレームに対応する；そしてサブフレームｎ２−（ｎ２）及びｎ３−（ｎ３）は、サブフレームｎ２及びサブフレームｎ３でＰ−ＣＳＩのためのレファレンスサブフレームに対応する。
【０２０３】
与えられたサブフレームで、ＵＥは、図面に示されたように任意の数の係留中のＣＳＩプロセスを有することができる。例えば、サブフレームｎで伝送されるＰ−ＣＳＩに対応するＣＳＩのためのレファレンスサブフレームに対応するサブフレームｎ−（ｎ）で、６個の係留中のＰ−ＣＳＩプロセスが存在する。言い換えれば、ＵＥは、サブフレームｎ−ｎ−（ｎ）で６個の出力ＣＳＩ演算を有する。
【０２０４】
図示のように、サブフレームｎ１−（ｎ１）に対応する、サブフレームｎで伝送されたＰ−ＣＳＩフィードバックは、他のＰ−ＣＳＩフィードバックと衝突する。追加に、サブフレームｎ２−（ｎ２）に対応する、サブフレームｎ２で伝送されたＰ−ＣＳＩフィードバックは、他のＰ−ＣＳＩフィードバックと衝突する。
【０２０５】
一実施例において、ＵＥは、Ｎ＿ｔｈｒｅｓｈｏｌｄより大きく係留中のＣＳＩプロセスを受信することを期待することができない。制限を超過すれば、ＵＥ動作は、具現従属に対して定義されるかまたは特定されない。一実施例において、係留中のＣＳＩプロセスの数がＮ＿ｔｈｒｅｓｈｏｌｄより大きければ、ＵＥは、ＣＳＩ伝送を中断することができる。一実施例において、非周期的な要請で係留中のＣＳＩプロセスの数がＮ＿ｔｈｒｅｓｈｏｌｄより大きければ、一部のレポートを中断し、一部のレポートを伝送することができる。
【０２０６】
ＵＥは、与えられた時間にＮ＿ｔｈｒｅｓｈｏｌｄ以上のプロセスのための係留中の要請を有すれば、ＣＳＩを伝送するための１つ以上の次の手続きは、対応する上向きリンクサブフレーム（ｎ＋４）で対応するＣＳＩを伝送することに反対に適用することができる：一例において、ＵＥ動作は、特定されない；このような場合で、ＵＥ具現は、できれば、上向きリンクＣＳＩをどんなに伝送するかを決定することができる；他の例において、ＵＥは、すべての係留中の周期的なＣＳＩ要請を中断する；他の例において、ＵＥは、最も最近のＣＳＩレファレンスサブフレームを有する周期的なＣＳＩ要請を中断する；他の例において、ＵＥは、最も古いＣＳＩレファレンスサブフレームを有する周期的なＣＳＩ要請を中断する；他の例において、ＵＥは、周期的な最も速い来る上向きリンク伝送を有する周期的なＣＳＩ要請を中断する；他の例において、ＵＥは、最も遠くある来る上向きリンク伝送を有する周期的なＣＳＩ要請を中断する；他の例において、ＵＥは、１つ以上の周期的な要請の１つ以上のＣＳＩプロセスのＣＳＩを中断する；他の例において、ＵＥは、サービングセルのＣＳＩ要請を除いた、すべてのＣＳＩ要請を中断する；他の例において、ＵＥは、各セルに対して下位ＣＳＩ構成インデックスに対応するＣＳＩプロセスのＣＳＩ要請を除いたすべてのＣＳＩ要請を中断する；他の例において、ＵＥは、ＣＳＩプロセスの組合されたセットに対する周期的なＣＳＩ衝突の場合のために先立って提案された中断規則を使用する；または、他の例において、ＵＥは、対応するレポートの形式に基盤する優先順位を付与するＣＳＩ要請を中断する；他の例において、ＰＵＣＣＨレポーティング形式（１、１ａ、２、２ｂ、２ｃ、または４）を有するＣＳＩは、ＰＵＣＣＨレポーティング形式３、５、６または２ａを有するＣＳＩレポートより低い優先順位を有する；他の例において、ＵＥは、周期的な伝送（Ｎｐｅｒｉｏｄ）を基盤として優先順位を付与することによって、ＣＳＩ要請を中断する；そして、他の例において、最も低いＮｐｅｒｉｏｄを有するＣＳＩレポートは中断される。
【０２０７】
一実施例において、ＵＥは、最も離れた上向きリンク伝送を有する周期的なＣＳＩ要請を中断することができる。これは、任意の数の進行中のＣＳＩ演算が存在する間に、どんな追加的なＣＳＩプロセスもＵＥリンク適応ブロックパイプラインに追加されないことを基本的に暗示する。
【０２０８】
一実施例において、１つ以上の上記手続は、組合され得る。例えば、ＣＳＩ要請は、ＰＵＣＣＨレポーティング形式を基盤として優先順位を付与することによってダウン選択され得、最も離れた上向きリンク伝送を有する要請の中断が適用され得る。
【０２０９】
一実施例において、多重ＣＳＩレポートが構成されるとき、非周期的なそして周期的なレポーティングに対して先立って定義された動作または手続は、ＵＥ性能に対して従属する。そのような性能は、ネットワークに知られることができる。またはその情報は、上位階層シグナリングによってシグナリングされることができる。
追加に、前述した実施例の１つ以上の側面の周期的な、そして非周期的なＣＳＩ要請両方の組合されたＣＳＩ要請に適用され得る。
【０２１０】
ＵＥは、周期的な、そして非周期的な要請を含む与えられた時間にＮ＿ｔｈｒｅｓｈｏｌｄ以上のＣＳＩプロセスに対して係留中の要請を有すれば、ＣＳＩを伝送するための１つ以上の次の手続は、対応する上向きリンクサブフレーム（ｎ＋４）で対応するＣＳＩを伝送することに反対に適用することができる：一例において、ＵＥ動作は、特定されず、ＵＥ具現は、できれば、上向きリンクＣＳＩをどんなに伝送するかを決定することができる；他の例において、ＵＥは、すべての係留中の周期的なＣＳＩ要請を中断する；他の例において、ＵＥは、すべての係留中の非周期的なＣＳＩ要請を中断する；他の例において、ＵＥは、最も最近のＣＳＩレファレンスサブフレームを有する周期的なＣＳＩ要請を中断する；他の例において、ＵＥは、最も古いＣＳＩレファレンスサブフレームを有する周期的なＣＳＩ要請を中断する；他の例において、ＵＥは、周期的な最も速い近付く上向きリンク伝送を有する周期的なＣＳＩ要請を中断する；他の例において、ＵＥは、最も遠くある近付く上向きリンク伝送を有する周期的なＣＳＩ要請を中断する；他の例において、ＵＥは、１つ以上の周期的な要請の１つ以上のＣＳＩプロセスのＣＳＩを中断する；他の例において、ＵＥは、サービングセルのＣＳＩ要請を除いた、すべてのＣＳＩ要請を中断する；他の例において、ＵＥは、各セルに対して下位ＣＳＩ構成インデックスに対応するＣＳＩプロセスのＣＳＩ要請を除いたすべてのＣＳＩ要請を中断する；他の例において、ＵＥは、ＣＳＩプロセスの組合されたセットに対する周期的なＣＳＩ衝突の場合のために先立って提案された中断規則を使用する；または、他の例において、ＵＥは、対応するレポートの形式に基盤して優先順位を付与するＣＳＩ要請を中断する；他の例において、ＰＵＣＣＨレポーティング形式（１、１ａ、２、２ｂ、２ｃ、または４）を有するＣＳＩは、ＰＵＣＣＨレポーティング形式３、５、６または２ａを有するＣＳＩレポートより低い優先順位を有する；他の例において、ＵＥは、周期的な伝送（Ｎｐｅｒｉｏｄ）を基盤として優先順位を付与することによって、ＣＳＩ要請を中断する；他の例において、最も低いＮｐｅｒｉｏｄを有するレポートは、中断される。他の例において、ＵＥは、すべての周期的な要請を中断し、非周期的なＣＳＩ要請のために先立って定義された規則を適用する。ＵＥが与えられた時間に非周期的なＣＳＩ要請でＮ＿ｔｈｒｅｓｈｏｌｄ以上のプロセスに対して係留中の要請を有すれば、ＣＳＩを伝送するための１つ以上の次の手続は、上向きリンクサブフレーム（ｎ＋４）で対応するＣＳＩを伝送することに反対して適用することができる：一例において、ＵＥ動作は特定されない；このような場合で、ＵＥ具現は、できれば、上向きリンクＣＳＩをどんなに伝送するかを決定することができる；他の例において、ＵＥは、すべての係留中の非周期的なＣＳＩ要請を中断する；他の例において、ＵＥは、最も最近の非周期的なＣＳＩ要請を中断する；他の例において、ＵＥは、最も古いＣＳＩ要請を中断する；他の例において、ＵＥは、１つ以上の非周期的な要請の１つ以上のＣＳＩプロセスのＣＳＩを中断する；他の例において、ＵＥは、サービングセルのＣＳＩ要請を除いた、すべてのＣＳＩ要請を中断する；他の例において、各セルに対して下位ＣＳＩ構成インデックスに対応するＣＳＩプロセスのＣＳＩ要請を除いたすべてのＣＳＩ要請を中断する；
【０２１１】
本発明の実施例は、有効／レファレンスサブフレームに対する制約を有するＵＥ複雑度減少を含む。レファレンスサブフレームは、次のように定義される：時間ドメインで、ＣＳＩレファレンスリソースは、単一下向きリンクサブフレームnCQI_refｎ−によって定義される。ここで、周期的なＣＳＩレポーティングnCQI_refは、有効下向きリンクサブフレームに対応するように４より大きいかまたは同じ値のうち最も小さい値である；そして、非周期的なＣＳＩレポーティングnCQI_refは、レファレンスリソースが上向きリンクＤＣＩフォーマットで対応するＣＳＩ要請と同一の有効下向きリンクサブフレームにあるようにする。
【０２１２】
レファレンスサブフレームは、レポートされたＣＱＩに対応する測定が累積するものと予測される時までのサブフレームを示す（すなわち、このサブフレームまでチャネル／干渉ヒストリー）。さらに、nCQI_refは、ＣＳＩ演算を行うためにＵＥに対して利用可能な時間のウィンドウである。
【０２１３】
nCQI_refの最も小さい値は、nCQI_refの最小値を表現し、ＬＴＥリリース１０での４であり、nCQI_ref_minで示す。前述した定義は、これが変数だとしたら、次のようにさらに記述され得る。時間ドメインで、ＣＳＩレファレンスリソースは、単一下向きリンクサブフレーム、ｎ−nCQI_refによって定義される。ここで、周期的なＣＳＩレポーティングに対して、nCQI_refは、有効下向きリンクサブフレームに対応する、nCQI_ref_minと同じか、または大きい値のうち最も小さい値である；非周期的なＣＳＩレポーティングに対して、nCQI_refは、レファレンスリソースが上向きリンクＤＣＩフォーマットに対応するＣＳＩ要請と同一に有効下向きリンクサブフレームにあるようにする程度である。
【０２１４】
レファレンスリソースが同一の有効下向きリンクサブフレームにあるか否かは、下記の表１２でコピーした３ＧＰＰ  ＴＳ  ３６．２１１の表４．２−２を基盤で決定される。
【０２１５】
【表１２】
0006400001.tif 000017
【０２１６】
言い換えれば、ＣＳＩレファレンスリソースは、表１２による下向きリンクサブフレームのうち１つなら、有効下向きリンクフレームである。
【０２１７】
非周期的なレポーティングのためのウィンドウを増加するようにするのために、定義は、次のように追加に修正される：時間ドメインで、ＣＳＩレファレンスリソースは、単一下向きリンクサブフレーム、ｎ−nCQI_refによって定義される。ここで、周期的な（ｐｅｒｉｏｄｉｃ）ＣＳＩレポーティングに対して、nCQI_refは、有効下向きリンクサブフレームに対応する、nCQI_ref_minと同じかまたは大きい値のうち最も小さい値である；非周期的な（ａｐｅｒｉｏｄｉｃ）ＣＳＩレポーティングに対して、nCQI_refは、有効下向きリンクサブフレームに対応する、nCQI_ref_minと同じかまたは大きい値のうち最も小さい値である。ＵＥ複雑度を緩和するための１つの可能性は、有効サブフレーム及びnCQI_ref_minの定義を緩和するものである。一実施例において、有効サブフレームのセットは、利用可能な下向きリンクサブフレームのサブセットになるように追加に定義され得る。一実施例において、そのような有効サブフレームのサブセットは、１つ以上の次のようなものを基盤とすることができる：ｒｅｓｏｕｒｃｅｃｏｎｆｉｇ、ｓｕｂｆｒａｍｅｃｏｎｆｉｇを含む、１つ以上の非−ゼロ電力ＣＳＩ−ＲＳ構成パラメータ、１つ以上のゼロ電力ＣＳＩ−ＲＳ構成パラメータ、ｒｅｓｏｕｒｃｅｃｏｎｆｉｇ、ｓｕｂｆｒａｍｅｃｏｎｆｉｇを含む１つ以上のＩＭＲ構成パラメータ、構成されたＣＳＩプロセスの全体数、ＵＥのために構成された周期的なＣＳＩプロセスの全体数、ＵＥのために構成された非周期的なＣＳＩプロセスの全体数、ＡＢＳまたはサブフレームサブセット構成、上位階層による非周期的なＣＳＩ構成、上位階層による周期的なＣＳＩ構成；構成されたサービングセルの数、構成されたサブフレームサブセットの数；レポーティングの形式（すなわち、非周期的なまたは周期的）、そしてＵＥ性能がそれである。
【０２１８】
より一般的に、有効サブフレームの位置情報は、上位階層によって構成され得る。例えば、癬貴階層構成は、任意の周期性及びサブフレームオフセットを有する有効サブフレームのセットを示すことができる。言い換えれば、ｒｅｓｏｕｒｃｅｃｏｎｆｉｇ、ｓｕｂｆｒａｍｅｃｏｎｆｉｇは、有効サブフレームを定義するために示すことができる。
【０２１９】
一実施例において、上位階層構成は、１つ以上のＣＳＩ−ＲＳ構成（ＮＺＰ、ＺＰ、ＩＭＲ）のうちいずれが有効サブフレームのセットを誘導するために使用されなければならないかを示すことができる。
【０２２０】
一実施例において、nCQI_refまたはnCQI_ref_minの値は、次のうち１つ以上を基盤として決定される：ｒｅｓｏｕｒｃｅｃｏｎｆｉｇ、ｓｕｂｆｒａｍｅｃｏｎｆｉｇを含む、１つ以上の非−ゼロ電力ＣＳＩ−ＲＳ構成パラメータ、１つ以上のゼロ電力ＣＳＩ−ＲＳ構成パラメータ、ｒｅｓｏｕｒｃｅｃｏｎｆｉｇ、ｓｕｂｆｒａｍｅｃｏｎｆｉｇを含む１つ以上のＩＭＲ構成パラメータ、構成されたＣＳＩプロセスの全体数、ＵＥのために構成された周期的なＣＳＩプロセスの全体数、ＵＥのために構成された非周期的なＣＳＩプロセスの全体数、ＡＢＳまたはサブフレームサブセット構成、上位階層による非周期的なＣＳＩ構成、上位階層による周期的なＣＳＩ構成；構成されたサービングセルの数、構成されたサブフレームサブセットの数；レポーティングの形式（すなわち、非周期的なまたは周期的）、そしてＵＥ性能がそれである。
【０２２１】
一実施例において、有効サブフレームのセットは、非周期的なＣＳＩ及び周期的なＣＳＩレポーティングに対して変わることができる。一実施例において、nCQI_ref_minの値は、非周期的なＣＳＩ及び周期的なＣＳＩに対して変わる（すなわち、レポーティングの形式を基盤とする）。
【０２２２】
実施例Ａにおいて、構成されたＣＳＩプロセスの数が臨界値より小さければ、第１セットの有効サブフレームが使用され、構成されたＣＳＩプロセスの数が臨界値より大きければ、第２セットの有効サブフレームが使用される。実施例Ｂにおいて、構成されたＣＳＩプロセッサの数が臨界値より小さければ、nCQI_ref_minの第１値が使用され、構成されたＣＳＩプロセッサの数が臨界値より大きければ、nCQI_ref_minの第２値が使用される。
【０２２３】
前記実施例Ａ及びＢにおいて、ＣＳＩプロセスの数は、次に従うことができる：周期的なＣＳＩプロセスの数、非周期的なＣＳＩプロセスの数、すべてのコンポネントキャリア及びサブフレームサブセットを含むＣＳＩプロセスの全体数、及びコンポネントキャリア当たりＣＳＩプロセスの数がそれである。一実施例において、実施例Ａ及びＢでのＣＳＩプロセスの数は、非周期的なＣＳＩ要請で構成され得るＣＳＩプロセスの最大数を基盤とすることができる。例えば、次のＣＳＩ要請フィールドが下記の表１３で使用されれば、ＣＳＩプロセスの数の最大値は、上位階層によって構成される第１、第２及び第３セットのうち最大値に対応する。
【０２２４】
【表１３】
0006400001.tif 000018
【０２２５】
本発明がその実施例を参照して都市されて説明されたが、添付された請求項とその均等物によって定義される本発明の思想及び範囲から逸脱することなく本発明の形態及び詳細事項が多様に変更され得ることは、この技術分野で通常の知識を持った者なら理解することができるであろう。
【符号の説明】
【０２２６】
１００  無線ネットワーク
１０１〜１０３  基地局
１１１〜１１６  ＵＥ
１２０、１２５  カバレージ領域
１３０  ネットワーク
２００  伝送経路
２０５  チャネルコーディング及び変調ブロック
２１０  並列ブロック
２１５  サイズＮ逆高速フーリエ変換ブロック
２２０  直列ブロック
２２５  循環前置挿入ブロック
２３０  アップコンバータ
２５５  ダウンコンバータ
２６０  循環前置除去ブロック
２６５  並列ブロック
２７０  サイズＮ高速フーリエ変換ブロック
２７５  直列ブロック
２８０  チャネルデコーディング及び復調ブロック
３００  受信経路回路
４０５  送信機
４１０  受信機
４１５  アンテナ
４２０  位相シフタ
４２５  伝送プロセス回路
４３０  制御機
４３５  アンテナ
４４５  受信プロセス回路
４５０  制御機
５００  ＣｏＭＰ通信システム
５０５  ＵＥ
５１０  ＴＰ
５２０  ネットワーク
６００  無線通信ネットワーク
６０２  カバレージ領域
６０４  ｅＮＢ
６１０  無線通信ネットワーク
６１２  カバレージ領域
６１４  ＲＲＨ
６１６  光ファイバ
６２０  無線通信ネットワーク
６２２  カバレージ領域
６２４  ＲＲＨ
【図１】
0006400001.tif 000019
【図２】
0006400001.tif 000020
【図３】
0006400001.tif 000021
【図４】
0006400001.tif 000022
【図５】
0006400001.tif 000023
【図６ａ】
0006400001.tif 000024
【図６ｂ】
0006400001.tif 000025
【図６ｃ】
0006400001.tif 000026
【図７】
0006400001.tif 000027
【図８】
0006400001.tif 000028
【図９Ａ】
0006400001.tif 000029
【図９Ｂ】
0006400001.tif 000030
【図１０Ａ】
0006400001.tif 000031
【図１０Ｂ】
0006400001.tif 000032
【図１１】
0006400001.tif 000033
【図１２】
0006400001.tif 000034
【図１３】
0006400001.tif 000035